(57)【要約】  切換部（２８）は、電流信号が通信線を伝送したことで電流変換信号（ＳＧ１）が生成されたと電流変換信号判定部２６で判定された場合に、電流−電圧変換部２２で生成された電流変換信号（ＳＧ１）を抽出・信号判定部（３０）へ伝送する一方で、電圧センサ（１４）で生成された電圧変換信号（ＳＧ２）を抽出・信号判定部（３０）へ伝送しない切り換えを行う。また、切換部（２８）は、電圧信号が通信線を伝送したことで電圧変換信号（ＳＧ２）が生成されたと電圧変換信号判定部（２７）で判定された場合に、電圧センサ（１４）で生成された電圧変換信号（ＳＧ２）を抽出・信号判定部（３０）へ伝送する一方で、電流−電圧変換部（２２）で生成された電流変換信号（ＳＧ１）を抽出・信号判定部（３０）へ伝送しない切り換えを行う。
2013186908.tif 000002
【特許請求の範囲】
【請求項１】
通信線を流れる電流の値の大きさに対応した電圧値を示す電流変換信号を生成する電流変換信号生成部と、
前記電流変換信号生成部で生成された電流変換信号が予め定められた条件を満たすかを判定することで、電流値の大きさによって情報を伝える電流信号が通信線を伝送したことで前記電流変換信号が生成されたかを判定する電流変換信号判定部と、
通信線に印加される電圧の値の大きさに対応した電圧値を示す電圧変換信号を生成する電圧変換信号生成部と、
前記電圧変換信号生成部で生成された電圧変換信号が所定の条件を満たすかを判定することで、電圧値の大きさによって情報を伝える電圧信号が通信線を伝送したことで前記電圧変換信号が生成されたかを判定する電圧変換信号判定部と、
前記電流変換信号生成部で生成された電流変換信号、または前記電圧変換信号生成部で生成された電圧変換信号のいずれかから、表示情報を生成する表示情報生成部と、
前記表示情報生成部により生成された表示情報を、前記表示情報の表示が可能な表示装置へ出力する出力部と、
前記電流信号が通信線を伝送したことで前記電流変換信号が生成されたと前記電流変換信号判定部で判定された場合に、前記電流変換信号生成部で生成された電流変換信号を前記表示情報生成部へ伝送する一方で、前記電圧変換信号生成部で生成された電圧変換信号を前記表示情報生成部へ伝送しない切り換えを行い、前記電圧信号が通信線を伝送したことで前記電圧変換信号が生成されたと前記電圧変換信号判定部で判定された場合に、前記電圧変換信号生成部で生成された電圧変換信号を前記表示情報生成部へ伝送する一方で、前記電流変換信号生成部で生成された電流変換信号を前記表示情報生成部へ伝送しない切り換えを行う切換部と、
を備える解析装置。
【請求項２】
前記電流変換信号判定部は、
前記電流変換信号生成部で生成された電流変換信号の示す電圧値が予め定められた閾値以上であるかを判定する電流閾値判定部と、
前記電流変換信号の示す電圧値が予め定められた閾値以上であると前記電流閾値判定部によって判定され続けている期間が、予め定められた期間を経過したかを判定する電流期間判定部とを備え、
前記電流変換信号の示す電圧値が予め定められた閾値以上であると前記電流閾値判定部によって判定され続けている期間が、前記予め定められた期間を経過したと前記電流期間判定部により判定された場合に、前記電流信号が通信線を伝送したことで前記電流変換信号が生成されたと判定し、
前記電圧変換信号判定部は、
前記電圧変換信号生成部で生成された電圧変換信号の示す電圧値が所定の閾値以上であるかを判定する電圧閾値判定部と、
前記電圧変換信号の示す電圧値が所定の閾値以上であると前記電圧閾値判定部によって判定され続けている期間が、所定の期間を経過したかを判定する電圧期間判定部とを備え、
前記電圧変換信号の示す電圧値が所定の閾値以上であると前記電圧閾値判定部によって判定され続けている期間が、前記所定の期間を経過したと前記電圧期間判定部により判定された場合に、前記電圧信号が通信線を伝送したことで前記電圧変換信号が生成されたと判定する、
請求項１に記載の解析装置。
【請求項３】
前記電流変換信号判定部は、
更に、前記電流変換信号の示す電圧値が予め定められた閾値以上であると前記電流閾値判定部によって判定され続けている期間が、前記予め定められた期間を経過したと前記電流期間判定部により判定された場合に、前記電流変換信号の示す電圧値が、規格の範囲内であるかを判定する電流範囲判定部を備え、
前記電流変換信号の示す電圧値が前記規格の範囲内であると前記電流範囲判定部によって判定された場合に、前記電流信号が通信線を伝送したことで前記電流変換信号が生成されたと判定し、前記電流変換信号の示す電圧値が前記規格の範囲内でないと前記電流範囲判定部によって判定された場合に、前記電流変換信号生成部で生成された電流変換信号が異常を示すと判定し、
前記電圧変換信号判定部は、
更に、前記電圧変換信号の示す電圧値が所定の閾値以上であると前記電圧閾値判定部によって判定され続けている期間が、前記所定の期間を経過したと前記電圧期間判定部により判定された場合に、前記電圧変換信号の示す電圧値が、前記規定の範囲内であるかを判定する電圧範囲判定部を備え、
前記電圧変換信号の示す電圧値が前記規定の範囲内であると前記電圧範囲判定部によって判定された場合に、前記電圧信号が通信線を伝送したことで前記電圧変換信号が生成されたと判定し、前記電圧変換信号の示す電圧値が前記規定の範囲内でないと前記電圧範囲判定部によって判定された場合に、前記電圧変換信号生成部で生成された電圧変換信号が異常を示すと判定し、
前記切換部は、
前記電流変換信号が異常を示すと前記電流変換信号判定部により判定された場合に、前記電流変換信号生成部で生成された電流変換信号を前記表示情報生成部へ伝送しない一方で、前記電圧変換信号生成部で生成された電圧変換信号を前記表示情報生成部へ伝送する切り換えを行い、前記電圧変換信号生成部で生成された電圧変換信号が異常を示すと前記電圧変換信号判定部により判定された場合に、前記電圧変換信号生成部で生成された電圧変換信号を前記表示情報生成部へ伝送しない一方で、前記電流変換信号生成部で生成される電流変換信号を前記表示情報生成部へ伝送する切り換えを行う、
請求項２に記載の解析装置。
【請求項４】
前記電流変換信号判定部は、
前記電流変換信号生成部で生成された電流変換信号の示す周波数が予め定められた閾値周波数以上であるかを判定する電流周波数判定部を備え、
前記電流変換信号生成部で生成された電流変換信号の示す周波数が前記予め定められた閾値周波数以上であると前記電流周波数判定部により判定された場合に、前記電流信号が通信線を伝送したことで前記電流変換信号が生成されたと判定し、
前記電圧変換信号判定部は、
前記電圧変換信号生成部で生成された電圧変換信号の示す周波数が所定の閾値周波数以上であるかを判定する電圧周波数判定部を備え、
前記電圧変換信号生成部で生成された電圧変換信号の示す周波数が前記所定の閾値周波数以上であると前記電圧周波数判定部により判定された場合に、前記電圧信号が通信線を伝送したことで前記電圧変換信号が生成されたと判定する、
請求項１に記載の解析装置。
【請求項５】
前記電流変換信号判定部は、
更に、前記電流変換信号生成部で生成された電流変換信号の示す周波数が前記予め定められた閾値周波数以上であると前記電流周波数判定部により判定された場合に、前記電流変換信号の示す周波数が、規格の周波数範囲内であるかを判定する電流周波数範囲判定部を備え、
前記電流変換信号の示す周波数が前記規格の周波数範囲内であると前記電流周波数範囲判定部によって判定された場合に、前記電流信号が通信線を伝送したことで前記電流変換信号が生成されたと判定し、前記電流変換信号の示す周波数が前記規格の周波数範囲内でないと前記電流周波数範囲判定部によって判定された場合に、前記電流変換信号生成部で生成された電流変換信号が異常を示すと判定し、
前記電圧変換信号判定部は、
更に、前記電圧変換信号の示す周波数が前記所定の閾値周波数以上であると前記電圧周波数判定部により判定された場合に、前記電圧変換信号の示す周波数が、規定の周波数範囲内であるかを判定する電圧周波数範囲判定部を備え、
前記電圧変換信号の示す周波数が前記規定の周波数範囲内であると前記電圧周波数範囲判定部によって判定された場合に、前記電圧信号が通信線を伝送したことで前記電圧変換信号が生成されたと判定し、前記電圧変換信号の示す周波数が前記規定の周波数範囲内でないと前記電圧周波数範囲判定部によって判定された場合に、前記電圧変換信号生成部で生成された電圧変換信号が異常を示すと判定し、
前記切換部は、
前記電流変換信号が異常を示すと前記電流変換信号判定部により判定された場合に、前記電流変換信号生成部で生成された電流変換信号を前記表示情報生成部へ伝送しない一方で、前記電圧変換信号生成部で生成された電圧変換信号を前記表示情報生成部へ伝送する切り換えを行い、前記電圧変換信号生成部で生成された電圧変換信号が異常を示すと前記電圧変換信号判定部により判定された場合に、前記電圧変換信号生成部で生成された電圧変換信号を前記表示情報生成部へ伝送しない一方で、前記電流変換信号生成部で生成される電流変換信号を前記表示情報生成部へ伝送する切り換えを行う、
請求項４に記載の解析装置。
【請求項６】
前記切換部は、
前記電流変換信号を優先的に前記表示情報生成部へ伝送するか、または、前記電圧変換信号を優先的に前記表示情報生成部へ伝送するかを示す優先順位を記憶する記憶部を備え、
前記電流信号が通信線を伝送したことで前記電流変換信号が生成されたと前記電流変換信号判定部で判定されたタイミングと、前記電圧信号が通信線を伝送したことで前記電圧変換信号が生成されたと前記電圧変換信号判定部で判定されたタイミングとが、同一のタイミングの場合に、前記記憶部に記憶された優先順位に従って前記切り換えを行う、
請求項１から５のいずれか１項に記載の解析装置。
【請求項７】
前記切換部は、前記切り換えを行った後、所定時間が経過するまで、前記切り換えを新たに行うことを防止する切換防止部を備える、
請求項１から６のいずれか１項に記載の解析装置。
【請求項８】
前記表示装置を備え、
前記表示装置は、前記出力部により出力された表示情報の各々を、１つの画面に表示可能な形式に統合した後、統合後の表示情報を表示する、
請求項１から７のいずれか１項に記載の解析装置。
【請求項９】
前記表示装置は、前記出力部により出力された表示情報に含まれる、表示情報が生成された時刻を表す時刻情報に基づいて、前記表示情報の各々を対応付けて統合した後、前記統合後の表示情報を表示する、
請求項８に記載の解析装置。
【請求項１０】
解析装置の解析方法であって、
前記解析装置が、通信線を流れる電流の値の大きさに対応した電圧値を示す電流変換信号を生成する電流変換信号生成ステップと、
前記解析装置が、前記電流変換信号生成ステップで生成された電流変換信号が予め定められた条件を満たすかを判定することで、電流値の大きさによって情報を伝える電流信号が通信線を伝送したことで前記電流変換信号が生成されたかを判定する電流変換信号判定ステップと、
前記解析装置が、通信線に印加される電圧の値の大きさに対応した電圧値を示す電圧変換信号を生成する電圧変換信号生成ステップと、
前記解析装置が、前記電圧変換信号生成ステップで生成された電圧変換信号が所定の条件を満たすかを判定することで、電圧値の大きさによって情報を伝える電圧信号が通信線を伝送したことで前記電圧変換信号が生成されたかを判定する電圧変換信号判定ステップと、
前記解析装置が、前記電流変換信号生成ステップで生成された電流変換信号、または前記電圧変換信号生成ステップで生成された電圧変換信号のいずれかから、表示情報を生成する表示情報生成ステップと、
前記解析装置が、前記表示情報生成ステップにより生成された表示情報を、前記表示情報の表示が可能な表示装置へ出力する出力ステップと、
前記解析装置が、前記電流信号が通信線を伝送したことで前記電流変換信号が生成されたと前記電流変換信号判定ステップで判定された場合に、前記電流変換信号生成ステップで生成された電流変換信号から前記表示情報を前記表示情報生成ステップで生成させる一方で、前記電圧変換信号生成ステップで生成された電圧変換信号から前記表示情報を前記表示情報生成ステップで生成させない切り換えを行い、前記電圧信号が通信線を伝送したことで前記電圧変換信号が生成されたと前記電圧変換信号判定ステップで判定された場合に、前記電圧変換信号生成ステップで生成された電圧変換信号から前記表示情報を前記表示情報生成ステップで生成させる一方で、前記電流変換信号生成ステップで生成された電流変換信号から前記表示情報を前記表示情報生成ステップで生成させない切り換えを行う切換ステップと、
を備える解析方法。
【請求項１１】
解析装置を制御するコンピュータに、
通信線を流れる電流の値の大きさに対応した電圧値を示す電流変換信号を生成する電流変換信号生成機能、
前記電流変換信号生成機能で生成された電流変換信号が予め定められた条件を満たすかを判定することで、電流値の大きさによって情報を伝える電流信号が通信線を伝送したことで前記電流変換信号が生成されたかを判定する電流変換信号判定機能、
通信線に印加される電圧の値の大きさに対応した電圧値を示す電圧変換信号を生成する電圧変換信号生成機能、
前記電圧変換信号生成機能で生成された電圧変換信号が所定の条件を満たすかを判定することで、電圧値の大きさによって情報を伝える電圧信号が通信線を伝送したことで前記電圧変換信号が生成されたかを判定する電圧変換信号判定機能、
前記電流変換信号生成機能で生成された電流変換信号、または前記電圧変換信号生成機能で生成された電圧変換信号のいずれかから、表示情報を生成する表示情報生成機能、
前記表示情報生成機能により生成された表示情報を、前記表示情報の表示が可能な表示装置へ出力する出力機能、
前記電流信号が通信線を伝送したことで前記電流変換信号が生成されたと前記電流変換信号判定機能で判定された場合に、前記電流変換信号生成機能で生成された電流変換信号から前記表示情報を前記表示情報生成機能で生成させる一方で、前記電圧変換信号生成機能で生成された電圧変換信号から前記表示情報を前記表示情報生成機能で生成させない切り換えを行い、前記電圧信号が通信線を伝送したことで前記電圧変換信号が生成されたと前記電圧変換信号判定機能で判定された場合に、前記電圧変換信号生成機能で生成された電圧変換信号から前記表示情報を前記表示情報生成機能で生成させる一方で、前記電流変換信号生成機能で生成された電流変換信号から前記表示情報を前記表示情報生成機能で生成させない切り換えを行う切換機能、
を実現させるプログラム。
【発明の詳細な説明】
【技術分野】
【０００１】
本発明は、解析装置、解析方法およびプログラムに関する。
【背景技術】
【０００２】
通信線を介して伝送される通信データ等の信号の解析を可能にするものとして、特許文献１に記載の通信状態解析システム、特許文献２に記載の空調通信情報収集装置および特許文献３に記載のネットワーク監視装置がある。【０００３】
特許文献１に記載の通信状態解析システムは、通信回路を有する複数の制御装置が接続された通信網から、通信データ（信号）を受信して記憶する。また、通信状態解析システムは、記憶された通信データの中から特定の制御装置（例えば、異常と考えられる制御装置）の通信データを選択する。そして、通信状態解析システムは、選択された特定の制御装置以外の制御装置から送信された通信データを、選択された特定の制御装置へ再度送信する。この再度の送信により、ユーザは、特定の制御装置における通信状態の解析（通信データの受信解析）が可能である。【０００４】
また、特許文献２に記載の空調通信情報収集装置は、通信線を介して伝送される通信パケットの異常を検出すると、異常を検出した時点の前後の時点の信号波形データを記憶する。そして、空調通信情報収集装置は、記憶された信号波形データを解析する。これにより、ユーザは、信号波形データ（信号）に発生した異常の解析が可能である。【０００５】
また、特許文献３に記載のネットワーク監視装置は、ネットワーク（通信線）を介して伝送される伝送データを受信して記憶する。この記憶された伝送データにより、ユーザは、伝送データの伝送状態や伝送データの伝送内容の解析が可能である。ここで、記憶された伝送データは、ネットワークから収集した電流の値および電圧の値（送電線を流れる電流の値および送電線に印加されている電圧の値）で構成されている。
【先行技術文献】
【特許文献】
【０００６】
【特許文献１】特開２００６−０５４７５５号公報
【特許文献２】特開２０１１−２３９１４７号公報
【特許文献３】特開２００７−２５１３８４号公報
【発明の概要】
【発明が解決しようとする課題】
【０００７】
ここで、特許文献１〜３に記載の技術を用いて、次の装置、具体的には、通信線を流れる電流の値の大きさによって情報を伝える電流信号を受信し、受信した電流信号に基づく表示情報を生成して例えばディスプレイに出力する機能と、通信線に印加されている電圧の値の大きさによって情報を伝える電圧信号を受信し、受信した電圧信号に基づく表示情報を生成して例えばディスプレイに出力する機能と、を有する装置を製造した場合、この装置では、次の問題点があった。即ち、この装置では、表示情報を生成して、生成した表示情報を出力する機能が、電流信号用と電圧信号用とで、重複して必要になるという問題点があった。【０００８】
本発明は、上記実情に鑑みてなされたものであり、表示情報を生成して、生成した表示情報を出力する機能の重複がない解析装置、解析方法およびプログラムを提供することを目的とする。
【課題を解決するための手段】
【０００９】
上記目的を達成するために、この発明に係る解析装置の電流変換信号生成部は、通信線を流れる電流の値の大きさに対応した電圧値を示す電流変換信号を生成する。電流変換信号判定部は、電流変換信号生成部で生成された電流変換信号が予め定められた条件を満たすかを判定することで、電流値の大きさによって情報を伝える電流信号が通信線を伝送したことで電流変換信号が生成されたかを判定する。電圧変換信号生成部は、通信線に印加される電圧の値の大きさに対応した電圧値を示す電圧変換信号を生成する。電圧変換信号判定部は、電圧変換信号生成部で生成された電圧変換信号が所定の条件を満たすかを判定することで、電圧値の大きさによって情報を伝える電圧信号が通信線を伝送したことで電圧変換信号が生成されたかを判定する。表示情報生成部は、電流変換信号生成部で生成された電流変換信号、または電圧変換信号生成部で生成された電圧変換信号のいずれかから、表示情報を生成する。出力部は、表示情報生成部により生成された表示情報を、表示情報の表示が可能な表示装置へ出力する。切換部は、電流信号が通信線を伝送したことで電流変換信号が生成されたと電流変換信号判定部で判定された場合に、電流変換信号生成部で生成された電流変換信号を表示情報生成部へ伝送する一方で、電圧変換信号生成部で生成された電圧変換信号を表示情報生成部へ伝送しない切り換えを行い、電圧信号が通信線を伝送したことで電圧変換信号が生成されたと電圧変換信号判定部で判定された場合に、電圧変換信号生成部で生成された電圧変換信号を表示情報生成部へ伝送する一方で、電流変換信号生成部で生成された電流変換信号を表示情報生成部へ伝送しない切り換えを行う。
【発明の効果】
【００１０】
本発明によれば、表示情報を生成して、生成した表示情報を出力する機能の重複がない。
【図面の簡単な説明】
【００１１】
【図１】本発明の実施の形態１に係る解析装置の接続を示した図である。
【図２】実施の形態１に係る解析装置のブロック図である。
【図３】抽出・信号判定部のブロック図である。
【図４】表示情報生成・出力部のブロック図である。
【図５】表示装置のブロック図である。
【図６】コマンド表示モードの画面例である。
【図７】波形表示モードの画面例である。
【図８】電流信号レシーバの処理を示すフローチャートである。
【図９】電流変換信号判定部の処理を示すフローチャートである。
【図１０】電圧信号レシーバの処理を示すフローチャートである。
【図１１】電圧変換信号判定部の処理を示すフローチャートである。
【図１２】切換部の処理を示すフローチャートである。
【図１３】抽出・信号判定部の処理を示すフローチャートである。
【図１４】表示情報生成・出力部の処理を示すフローチャートである。
【図１５】表示装置の処理を示すフローチャートである。
【図１６】実施の形態２に係る解析装置の電流変換信号判定部の処理を示すフローチャートである。
【図１７】実施の形態２に係る解析装置の電圧変換信号判定部の処理を示すフローチャートである。
【発明を実施するための形態】
【００１２】
（実施の形態１）
以下、本発明の実施の形態１に係る解析装置１０を、図１〜図１５を参照して説明する。解析装置１０は、図１に示すように、電流センサ１３と、電圧センサ１４と、を備えている。
【００１３】
電流センサ１３は、例えば変成器を有する。電流センサ１３は、室外機用通信ユニット１００と室内機用通信ユニット１１０との間で電流伝送方式によって送受信される信号を伝送する２線の通信線Ｌ１のうちの一方の線を、例えば変成器の一次側が取り囲むように配置される。ここで、電流伝送方式とは、電流値の大きさによって（電流値の大小によって）、信号のＨｉｇｈ，Ｌｏｗを決定する方式である。電流センサ１３は、通信線Ｌ１の一方の線を流れる電流の値の大きさに対応した電流値を示す電流を、解析装置１０に出力する。なお、室外機用通信ユニット１００は、例えばエアコンの室外機に設けられた通信装置であり、室内機用通信ユニット１１０は、例えばエアコンの室内機に設けられた通信装置である。
【００１４】
電圧センサ１４は、例えばコイルを有する。電圧センサ１４は、室内機用通信ユニット１１０とリモコン用通信ユニット１２０との間で電圧伝送方式によって送受信される信号を伝送する２線の通信線Ｌ２の各々の線に、例えばコイルの各々の端子が接続される。ここで、電圧伝送方式とは、電圧値の大きさによって（電圧値の大小によって）、信号のＨｉｇｈ，Ｌｏｗを決定する方式である。電圧センサ１４は、通信線Ｌ２に印加される電圧の値の大きさに対応した電圧値を示す電圧変換信号を、解析装置１０に出力する。つまり、電圧センサ１４は、通信線Ｌ２に印加される電圧の値の大きさに対応した電圧値を示す電圧変換信号を生成する。なお、リモコン用通信ユニット１２０は、例えばエアコンの室内機へ電圧信号を送信するリモコンに設けられた通信装置である。
【００１５】
このように、解析装置１０は、電流センサ１３および電圧センサ１４を備えているので、電流伝送方式によって送受信される信号の受信および電圧伝送方式によって送受信される信号の受信が可能である。以後、電流伝送方式によって送受信される信号、言い換えれば、電流値の大きさによって情報を伝える信号を、電流信号と称する。また、電圧伝送方式によって送受信される信号、言い換えれば、電圧値の大きさによって情報を伝える信号を、電圧信号と称する。
【００１６】
なお、通信線Ｌ１および通信線Ｌ２以外の通信線を伝送する信号（電流信号および電圧信号）を受信したい場合、解析装置１０−１に加え、解析装置１０−２を設ける等、解析装置１０を複数使用すればよい。このとき、解析装置１０−２を、解析装置１０−１と同一の構成にすればよい。
【００１７】
解析装置１０（解析装置１０−１および解析装置１０−２）は、表示装置１１と接続されている。表示装置１１は、解析装置１０（解析装置１０−１および解析装置１０−２）から出力される表示情報を受信し、表示情報に基づいて生成した画面を表示する。
【００１８】
解析装置１０は、図２に示す通り、電流センサ１３と、電圧センサ１４と、電流信号レシーバ２１と、電圧信号レシーバ２４と、電流変換信号判定部２６と、電圧変換信号判定部２７と、切換部２８と、スイッチ２９と、抽出・信号判定部３０と、表示情報生成・出力部３１と、を備えている。
【００１９】
電流信号レシーバ２１は、電流−電圧変換部２２と、復調・波形整形部２３と、を備えている。電流−電圧変換部２２は、電流センサ１３に接続されている。電流−電圧変換部２２は、電流センサ１３から出力された電流を電圧に変換し、変換した電圧（電流変換信号ＳＧ１）を出力する。つまり、電流−電圧変換部２２は、電流センサ１３から出力された電流の値（通信線Ｌ１を流れる電流の値）の大きさに対応した電圧値を示す電流変換信号ＳＧ１を生成する。
【００２０】
電流−電圧変換部２２は、例えば、２０ｍＡの電流が電流センサ１３から出力された場合、その電流を５ボルトの電圧に変換する。また、電流−電圧変換部２２は、例えば、４ｍＡの電流が電流センサ１３から出力された場合、その電流を１ボルトの電圧に変換する。
【００２１】
復調・波形整形部２３は、電流−電圧変換部２２に接続されている。復調・波形整形部２３は、電流−電圧変換部２２から出力された電流変換信号ＳＧ１を復調すると共に波形整形を行い、復調および波形整形が行われた信号（コマンド信号ＳＧ５）を出力する。復調・波形整形部２３は、例えば、電流信号にＡＳＫ（Amplitude Shift Keying）変調が施されていることで、電流−電圧変換部２２から出力された電流変換信号ＳＧ１がＡＳＫ変調されていれば、ＡＳＫ復調を行う。なお、復調・波形整形部２３は、例えば、電流信号に変調が施されていない場合、電流−電圧変換部２２から出力された電流変換信号ＳＧ１を復調することなく、電流変換信号ＳＧ１の波形整形だけを行ったコマンド信号ＳＧ５を出力する。
【００２２】
電圧信号レシーバ２４は、復調・波形整形部２５を備えている。復調・波形整形部２５は、電圧センサ１４に接続されている。復調・波形整形部２５は、電圧センサ１４から出力された電圧変換信号ＳＧ２を復調すると共に波形整形を行い、復調および波形整形が行われた信号（コマンド信号ＳＧ６）を出力する。復調・波形整形部２６は、例えば、電圧信号にＡＭ（Amplitude Modulation）変調が施されていることで、電圧センサ１４から出力された電圧変換信号ＳＧ２がＡＭ変調されていれば、ＡＭ復調を行う。なお、復調・波形整形部２５は、例えば、電圧信号に変調が施されていない場合、電圧センサ１４から出力された電圧変換信号ＳＧ２を復調することなく、電圧変換信号ＳＧ２の波形整形だけを行ったコマンド信号ＳＧ６を出力する。
【００２３】
電流変換信号判定部２６は、電流−電圧変換部２２の出力端子および復調・波形整形部２３の入力端子に接続されている。電流変換信号判定部２６は、電流−電圧変換部２２から出力された電流変換信号ＳＧ１を入力すると、電流−電圧変換部２２で生成された電流変換信号ＳＧ１が予め定められた条件を満たすかを判定することで、電流信号が通信線Ｌ１を伝送したことで電流変換信号ＳＧ１が生成されたかを判定する。
【００２４】
電流変換信号判定部２６は、具体的には、電流−電圧変換部２２から出力された電流変換信号ＳＧ１を入力すると、電流変換信号ＳＧ１の電圧値が予め定められた閾値以上であり、電流変換信号ＳＧ１の信号長が一定期間分（例えば通信方式がベースバンド方式であれば、１ビット長分）あり、更に、電流変換信号ＳＧ１の電圧値が規格の範囲内である場合、電流信号が通信線Ｌ１を伝送したことで電流変換信号ＳＧ１が生成されたことを示す検出信号ＳＧ３を出力する。つまり、電流変換信号判定部２６は、電流−電圧変換部２２で生成された電流変換信号ＳＧ１が、例えば、ノイズ等の検出でなければ、検出信号ＳＧ３を出力する。ここで、予め定められた閾値および規格の範囲は、電流変換信号ＳＧ１の振幅値から予め決定されている。
【００２５】
なお、電流変換信号判定部２６は、電流変換信号ＳＧ１の電圧値が予め定められた閾値未満である場合、または、電流変換信号ＳＧ１の信号長が一定期間分ない場合は、ノイズ等の検出であることから、検出信号ＳＧ３を出力しない。
【００２６】
このように、電流変換信号判定部２６は、電流信号が通信線Ｌ１を伝送したことで電流変換信号ＳＧ１が生成されたか否かを、予め定められた閾値および信号長によって判定するので、ノイズ等が検出された場合に検出信号ＳＧ３を誤って出力することを防止している。
【００２７】
また、電流変換信号判定部２６は、電流変換信号ＳＧ１の電圧値が予め定められた閾値以上であり、電流変換信号ＳＧ１の信号長が一定期間分あるものの、電流変換信号ＳＧ１の電圧値が規格の範囲を超える場合、電流変換信号ＳＧ１が異常値を示すと判定し、異常を表すエラー信号を検出信号ＳＧ３に含めて出力する。
【００２８】
電圧変換信号判定部２７は、電圧センサ１４の出力端子および復調・波形整形部２５の入力端子に接続されている。電圧変換信号判定部２７は、電圧センサ１４から出力された電圧変換信号ＳＧ２を入力すると、電圧センサ１４で生成された電圧変換信号ＳＧ２が所定の条件を満たすかを判定することで、電圧信号が通信線Ｌ２を伝送したことで電圧変換信号ＳＧ２が生成されたかを判定する。
【００２９】
電圧変換信号判定部２７は、具体的には、電圧センサ１４から出力された電圧変換信号ＳＧ２を入力すると、電圧変換信号ＳＧ２の電圧値が所定の閾値以上であり、電圧変換信号ＳＧ２の信号長が一定期間分（例えば通信方式がベースバンド方式であれば、１ビット長分）あり、更に、電圧変換信号ＳＧ２の電圧値が規定の範囲内である場合、電圧信号が通信線Ｌ２を伝送したことで電圧変換信号ＳＧ２が生成されたことを示す検出信号ＳＧ４を出力する。つまり、電圧変換信号判定部２７は、電圧センサ１４で生成された電圧変換信号ＳＧ２が、例えば、ノイズの検出でなければ、検出信号ＳＧ４を出力する。ここで、所定の閾値および規定の範囲は、電流変換信号ＳＧ２の振幅値から予め決定されている。
【００３０】
なお、電圧変換信号判定部２７は、電圧変換信号ＳＧ２の電圧値が所定の閾値未満である場合、または、電圧変換信号ＳＧ２の信号長が一定期間分ない場合は、ノイズ等の検出であることから、検出信号ＳＧ４を出力しない。
【００３１】
このように、電圧変換信号判定部２７は、電圧信号が通信線Ｌ２を伝送したことで電圧変換信号ＳＧ２が生成されたか否かを、所定の閾値および信号長によって判定するので、ノイズ等が検出された場合に検出信号ＳＧ４を誤って出力することを防止している。
【００３２】
また、電圧変換信号判定部２７は、電圧変換信号ＳＧ２の電圧値が所定の閾値以上であり、電圧変換信号ＳＧ２の信号長が一定期間分あるものの、電圧変換信号ＳＧ２の電圧値が規定の範囲を超える場合、電流変換信号ＳＧ２が異常値を示すと判定し、異常を表すエラー信号を検出信号ＳＧ４に含めて出力する。
【００３３】
切換部２８は、電流変換信号判定部２６および電圧変換信号判定部２７に接続されている。切換部２８は、エラー信号を含まない検出信号ＳＧ３を受信した場合は、電流信号が通信線Ｌ１を伝送したことで電流変換信号ＳＧ１が生成されたと電流変換信号判定部２６で判定されていることから、復調・波形整形部２３から出力されるコマンド信号ＳＧ５（電流変換信号ＳＧ１を復調・波形整形した信号）を、表示情報を生成する等の処理を行う抽出・信号判定部３０や表示情報生成・出力部３１へ伝送するために、復調・波形整形部２３の出力端子が抽出・信号判定部３０の入力端子に接続されるよう、スイッチ２９を切り換える。これにより、復調・波形整形部２５の出力端子と抽出・信号判定部３０の入力端子との接続が切断される。つまり、復調・波形整形部２５からコマンド信号ＳＧ６が出力されても、コマンド信号ＳＧ６は、抽出・信号判定部３０や表示情報生成・出力部３１へ伝送されない。
【００３４】
また、切換部２８は、エラー信号を含まない検出信号ＳＧ４を受信した場合は、電圧信号が通信線Ｌ２を伝送したことで電圧変換信号ＳＧ２が生成されたと電圧変換信号判定部２７で判定されていることから、復調・波形整形部２５から出力されるコマンド信号ＳＧ６（電圧変換信号ＳＧ２を復調・波形整形した信号）を、抽出・信号判定部３０や表示情報生成・出力部３１へ伝送するために、復調・波形整形部２５の出力端子が抽出・信号判定部３０の入力端子に接続されるよう、スイッチ２９を切り換える。これにより、復調・波形整形部２３の出力端子と抽出・信号判定部３０の入力端子との接続が切断される。つまり、復調・波形整形部２３からコマンド信号ＳＧ５が出力されても、コマンド信号ＳＧ５は、抽出・信号判定部３０や表示情報生成・出力部３１へ伝送されない。
【００３５】
切換部２８は、スイッチ２９の切り換え後、所定期間（例えば通信方式がベースバンド方式であれば、１ビット長分の期間）が経過するまで、スイッチ２９の切り換えを行わない。これにより、切換部２８は、電流信号または電圧信号の受信中にスイッチ２９が切り換わることを防止している。
【００３６】
なお、切換部２８は、エラー信号を含む検出信号ＳＧ３を受信した場合は、電流信号が通信線Ｌ１を伝送したことで電流変換信号ＳＧ１が生成されたが、この電流変換信号ＳＧ１が異常値を示すと電流変換信号判定部２６で判定されていることから、通信ユニットに異常等が発生している可能性があるため、異常を示す信号が抽出・信号判定部３０へ伝送されないよう、復調・波形整形部２３と抽出・信号判定部３０との接続を切り離す。言い換えれば、切換部２８は、エラー信号を含む検出信号ＳＧ３を受信した場合は、電圧信号レシーバ２４（復調・波形整形部２５）が抽出・信号判定部３０に接続されるよう、スイッチ２９を切り換える。
【００３７】
また、切換部２８は、エラー信号を含む検出信号ＳＧ４を受信した場合は、電圧信号が通信線Ｌ２を伝送したことで電圧変換信号ＳＧ２が生成されたが、この電流変換信号ＳＧ２が異常値を示すと電圧変換信号判定部２７で判定されていることから、通信ユニットに異常等が発生している可能性があるため、異常を示す信号が抽出・信号判定部３０へ伝送されないよう、復調・波形整形部２５と抽出・信号判定部３０との接続を切り離す。言い換えれば、切換部２８は、電流信号レシーバ２１（復調・波形整形部２３）が抽出・信号判定部３０に接続されるよう、スイッチ２９を切り換える。
【００３８】
上述したスイッチ２９の切り換えにより、切換部２８は、異常を示す信号を受信することを防止している。
【００３９】
なお、切換部２８は、コマンド信号ＳＧ５を優先的に抽出・信号判定部３０へ伝送するか、または、コマンド信号ＳＧ６を優先的に抽出・信号判定部３０へ伝送するかを示す優先順位を記憶する記憶部２８ａを備えている。切換部２８は、エラー信号を含むか否かに関らず、検出信号ＳＧ３（コマンド信号ＳＧ５に対応する信号）と検出信号ＳＧ４（コマンド信号ＳＧ６に対応する信号）とを同一タイミングで受信した場合、予めユーザにより設定された優先順位に従って、抽出・信号判定部３０や表示情報生成・出力部３１へ伝送するコマンド信号を決定し、スイッチ２９を切り換える。
【００４０】
つまり、切換部２８は、電流信号が通信線Ｌ１を伝送したことで電流変換信号ＳＧ１が生成されたと電流変換信号判定部２６で判定されたタイミングと、電圧信号が通信線Ｌ２を伝送したことで電圧変換信号ＳＧ２が生成されたと電圧変換信号判定部２７で判定されたタイミングとが、同一のタイミングの場合に、記憶部２８ａに記憶された優先順位に従って、抽出・信号判定部３０や表示情報生成・出力部３１へ伝送するコマンド信号を決定し、スイッチ２９を切り換える。
【００４１】
よって、電流信号の伝送のタイミングと、電圧信号の伝送のタイミングとが、同一のタイミングであったとしても、切換部２８は、優先順位に従ってスイッチ２９を切り換えて、コマンド信号（コマンド信号ＳＧ５またはコマンド信号ＳＧ６）を、抽出・信号判定部３０や表示情報生成・出力部３１へ伝送することができる。
【００４２】
ここで、本実施の形態１では、検出信号ＳＧ３と検出信号ＳＧ４とを同一タイミングで受信した場合、切換部２８は、コマンド信号ＳＧ５を、抽出・信号判定部３０へ伝送するコマンド信号に決定する。
【００４３】
スイッチ２９は、２対の切り換え端の一端が、電流信号レシーバ２１の復調・波形整形部２３の出力端子に接続され、切り換え端の他端が、電圧信号レシーバ２４の復調・波形整形部２５の出力端子に接続されている。また、スイッチ２９の固定端は、抽出・信号判定部３０の入力端子に接続されている。スイッチ２９は、抽出・信号判定部３０の接続先を、電流信号レシーバ２１の復調・波形整形部２３、または電圧信号レシーバ２４の復調・波形整形部２５のいずれかに切り換える。
【００４４】
抽出・信号判定部３０は、コマンド信号ＳＧ５（電流変換信号ＳＧ１に対応する信号）からの電流信号の抽出およびコマンド信号ＳＧ６（電圧変換信号ＳＧ２に対応する信号）からの電圧信号の抽出等を行う。抽出・信号判定部３０は、図３に示すように、サンプリング部４１と、ビット生成部４２と、制御用インターフェイス部４３と、エラー判定部４４と、を備えている。
【００４５】
サンプリング部４１は、スイッチ２９の固定端に接続されている。サンプリング部４１は、コマンド信号（コマンド信号ＳＧ５またはコマンド信号ＳＧ６）を受信すると、受信したコマンド信号を、所定のサンプリング間隔でサンプリングし、サンプリング後のコマンド信号（サンプリング値）を出力する。
【００４６】
ビット生成部４２は、サンプリング部４１の出力端子に接続されている。ビット生成部４２は、サンプリング値を受信すると、受信したサンプリング値からビット値を求め、求めたビット値を出力する。つまり、ビット生成部４２は、コマンド信号ＳＧ５に対応するビット値で示される電流信号、または、コマンド信号ＳＧ６に対応するビット値で示される電圧信号を出力する。
【００４７】
ここで、ビット生成部４２は、例えば、コマンド信号（コマンド信号ＳＧ５またはコマンド信号ＳＧ６）を構成する値の１つに対してサンプリング部４１で８回のサンプリングが行われた場合、例えば、第４，５，６回目のサンプリング値を、スレッショルドを超えたものと、スレッショルドを超えなかったものとに分ける。そして、ビット生成部４２は、例えば、スレッショルドを超えたものが超えなかったものより多ければ、ビット値を「１」にし、スレッショルドを超えたものが超えなかったものより少なければ、ビット値を「０」にして、ビット値を出力する。
【００４８】
このようにして、ビット生成部４２は、コマンド信号ＳＧ５（電流変換信号ＳＧ１に対応する信号）からの電流信号の抽出およびコマンド信号ＳＧ６（電圧変換信号ＳＧ２に対応する信号）からの電圧信号の抽出を行う。
【００４９】
エラー判定部４４は、ビット生成部４２の２つの出力端子の一方に接続されている。エラー判定部４４は、コマンド信号に対応するビット値（電流信号または電圧信号）を受信すると、受信したビット値に、例えば、パリティビットエラーやフレーミングエラー等といったエラーが発生していないかを判定する。そして、エラー判定部４４は、コマンド信号に対応するビット値にエラーが発生していた場合、エラーの内容を示すエラー情報を生成して出力する。このようにして、エラー判定部４４は、電流信号または電圧信号にエラーが発生しているか否かを判定し、エラーが発生していた場合、エラーの発生を示すエラー情報を出力する。
【００５０】
制御用インターフェイス部４３は、表示情報生成・出力部３１とのインターフェイスである。制御用インターフェイス部４３は、ビット生成部４２の出力端子およびエラー判定部４４の出力端子に接続されている。制御用インターフェイス部４３は、ビット生成部４２から出力されたコマンド信号に対応するビット値（電流信号または電圧信号）とエラー判定部４４から出力されたエラー情報とを纏めた情報である信号判定情報を生成し、表示情報生成・出力部３１へ出力する。ここで、エラー判定部４４からエラー情報が出力されない場合、制御用インターフェイス部４３は、エラー情報を含まない、コマンド信号に対応するビット値からなる信号判定情報を生成する。
【００５１】
なお、制御用インターフェイス部４３は、コマンド信号に対応するビット値またはエラー情報のいずれかを受信すると、表示情報生成・出力部３１に割り込み信号を出力する。すると、表示情報生成・出力部３１は、信号判定情報の要求信号を制御用インターフェイス部４３に出力する。この要求信号に対応して、制御用インターフェイス部４３は、信号判定情報を表示情報生成・出力部３１へ出力する。これにより、表示情報生成・出力部３１は、信号判定情報を受信することができる。
【００５２】
図２に示す表示情報生成・出力部３１は、抽出・信号判定部３０に接続されている。表示情報生成・出力部３１は、信号判定情報（コマンド信号に対応するビット値の他にエラー情報が含まれ得る信号）を受信すると、受信した信号判定情報から、通信の内容の解析等を行う。
【００５３】
表示情報生成・出力部３１は、図４に示すように、信号用インターフェイス部５１と、通信解析部５２と、表示情報生成部５３と、表示用インターフェイス部５４と、タイマ部５５と、を備えている。
【００５４】
信号用インターフェイス部５１は、抽出・信号判定部３０とのインターフェイスである。信号用インターフェイス部５１は、抽出・信号判定部３０の出力端子に接続されている。信号用インターフェイス部５１は、信号判定情報（コマンド信号に対応するビット値の他にエラー情報が含まれ得る信号）を受信すると、その信号判定情報を、通信解析部５２へ出力する。
【００５５】
通信解析部５２は、信号用インターフェイス部５１の出力端子およびタイマ部５５の出力端子に接続されている。通信解析部５２は、信号判定情報（コマンド信号に対応するビット値の他にエラー情報が含まれ得る信号）を受信すると、コマンド信号（コマンド信号ＳＧ５またはコマンド信号ＳＧ６）に対応するビット値（電流信号または電圧信号）から通信フレーム情報を求めると共に、タイマ部５５から時刻を示す時刻情報を取得する。そして、通信解析部５２は、通信フレーム情報と時刻情報とを対応付けた情報を出力する。なお、通信フレーム情報には、例えば、電流信号または電圧信号の他に、電流信号または電圧信号の送信元アドレスや、電流信号または電圧信号の送信先アドレス等が含まれる。
【００５６】
表示情報生成部５３は、通信解析部５２に接続されている。表示情報生成部５３は、通信フレーム情報（コマンド信号ＳＧ５またはコマンド信号ＳＧ６のいずれかから生成された情報）および時刻情報が対応付けられた情報を受信すると、その情報を、表示装置１１で表示可能な形式の情報に変換した表示情報を生成する。なお、この表示情報に含まれる時刻情報により、表示情報を受信する表示装置１１は、表示情報が生成された時刻の特定が可能である。
【００５７】
表示用インターフェイス部５４は、表示装置１１とのインターフェイスである。表示用インターフェイス部５４は、表示情報生成部５３の出力端子に接続されている。表示用インターフェイス部５４は、表示情報を受信すると、その表示情報を、表示装置１１へ出力する。
【００５８】
なお、表示用インターフェイス部５４は、表示情報を受信すると、表示装置１１に割り込み信号を出力する。すると、表示装置１１は、表示情報の要求信号を表示用インターフェイス部５４に出力する。この要求信号に対応して、表示用インターフェイス部５４は、表示情報を表示装置１１へ出力する。これにより、表示装置１１は、表示情報を受信することができる。
【００５９】
タイマ部５５は、時刻を計時する。
【００６０】
図２に示す表示装置１１は、表示情報生成・出力部３１に接続されている。表示装置１１は、表示情報を受信すると、受信した表示情報を表示する。
【００６１】
表示装置１１は、図５に示すように、出力部用インターフェイス部６１と、表示制御部６２と、表示部６３と、表示情報記憶部６４と、を備えている。
【００６２】
出力部用インターフェイス部６１は、表示情報生成・出力部３１とのインターフェイスである。出力部用インターフェイス部６１は、表示情報生成・出力部３１の出力端子に接続されている。出力部用インターフェイス部６１は、表示情報を受信すると、その表示情報を、表示制御部６２へ出力する。なお、解析装置１０が複数配置されている場合、出力部用インターフェイス部６１には、各解析装置１０（本実施の形態１では、解析装置１０−１および解析装置１０−２）が有する表示情報生成・出力部３１が接続される。
【００６３】
表示制御部６２は、出力部用インターフェイス部６１に接続されている。表示制御部６２は、表示情報を受信すると、受信した表示情報を表示情報記憶部６４に記憶する。なお、表示制御部６２は、出力部用インターフェイス部６１に複数の解析装置１０が接続されている場合、受信した表示情報に、表示情報の送信元を示す情報（例えば、解析装置１０のＭＡＣアドレス（Media Access Control address））を対応付けて、表示情報記憶部６４に記憶する。
【００６４】
そして、表示制御部６２は、画面に表示する上で必要になる所定数以上、表示情報が表示情報記憶部６４に記憶されていれば、表示情報記憶部６４に記憶された各表示情報を読み出す。そして、表示制御部６２は、読み出した表示情報に含まれる時刻情報に基づいて、表示情報の各々を対応付けると共に、表示情報の各々を１つの画面に表示可能な形式に統合する。その後、表示制御部６２は、統合後の表示情報を出力する。
【００６５】
表示部６３は、表示制御部６２の出力端子に接続されている。表示部６３は、例えば液晶ディスプレイである。表示部６３は、統合後の表示情報を受信すると、その表示情報から画面を生成し、その画面を表示する。
【００６６】
表示情報記憶部６４は、表示制御部６２の入出力端子に接続されている。表示情報記憶部６４は、例えばフラッシュメモリである。表示情報記憶部６４は、表示制御部６２により受信された表示情報を記憶する。
【００６７】
上述した表示装置１１の表示部６３で表示される画面は、例えば、図６に示すようなコマンド表示モードの画面がある。この画面は、室外機用通信ユニット１００と室内機用通信ユニット１１０との間で送受信された電流信号に含まれるコマンド、および、室内機用通信ユニット１１０とリモコン用通信ユニット１２０との間で送受信された電圧信号に含まれるコマンドを、通信ユニット毎に表示している。また、この画面は、時刻情報から特定される時刻（表示情報が生成された時刻）に基づき、コマンドの各々を対応付けて表示している。この画面は、例えば、８秒０１０の直後に、室外機用通信ユニット１００から室内機用通信ユニット１１０へ、「０５  ＡＡ  ＢＢ」のコマンドが送信され、その後に、室内機用通信ユニット１１０から室外機用通信ユニット１００へ、「０１  ＣＣ  ＤＤ」のコマンドが送信されていることを表示している。この画面により、ユーザは、コマンドの送受信状況の解析を行うことが可能である。
【００６８】
また、表示装置１１の表示部６３で表示される画面は、例えば、図７に示すような波形表示モードの画面がある。この画面は、解析装置１０−１で受信した電流信号の波形および解析装置１０−２で受信した電圧信号の波形を、解析装置毎に表示している。これらの信号の波形を示す画面は、コマンド信号（コマンド信号ＳＧ５またはコマンド信号ＳＧ６）に対応するビット値、言い換えれば、電流信号または電圧信号を、時刻情報から特定される時刻（表示情報が生成された時刻）に基づき、時系列で並べることで生成される。この画面により、ユーザは、信号の波形解析を行うことが可能である。
【００６９】
上述した解析装置１０（解析装置１０−１および解析装置１０−２）は、電源がオンされ、電流センサ１３から電流が出力されると、図８に示す電流信号レシーバの処理を、電流信号レシーバ２１で開始する。
【００７０】
電流信号レシーバの処理では、まず、電流信号レシーバ２１の電流−電圧変換部２２は、電流センサ１３から出力された電流を電圧に変換して、電流変換信号ＳＧ１を生成する（ステップＳ１１）。ステップＳ１１では、電流−電圧変換部２２は、例えば、２０ｍＡの電流が電流センサ１３から出力された場合、その電流を５ボルトの電圧信号に変換する。また、電流−電圧変換部２２は、例えば、４ｍＡの電流が電流センサ１３から出力された場合、その電流を１ボルトの電圧信号に変換する。
【００７１】
その後、電流−電圧変換部２２は、電流変換信号ＳＧ１を、電流変換信号判定部２６へ出力すると共に、復調・波形整形部２３へ出力する（ステップＳ１２）。なお、ステップＳ１２で電流−電圧変換部２２から出力された電流変換信号ＳＧ１が、電流変換信号判定部２６で受信されると、後述する図９に示す電流変換信号判定部の処理が開始される。
【００７２】
ステップＳ１２の実行後、復調・波形整形部２３は、電流−電圧変換部２２から出力された電流変換信号ＳＧ１を復調すると共に波形整形を行う（ステップＳ１３）。その後、復調・波形整形部２３は、復調および波形整形が行われた信号（コマンド信号ＳＧ５）を、２対の切り換え端の一端に出力して、電流信号レシーバの処理を終了する（ステップ１４）。
【００７３】
ステップＳ１２の実行後、電流−電圧変換部２２から出力された電流変換信号ＳＧ１が電流変換信号判定部２６で受信されると、電流変換信号判定部２６は、図９に示す電流変換信号判定部の処理を開始する。
【００７４】
電流変換信号判定部の処理では、まず、電流変換信号判定部２６は、電流−電圧変換部２２から出力された電圧信号（電流変換信号ＳＧ１）の電圧値が予め定められた閾値以上であるか否かを判定する（ステップＳ２１）。電流変換信号判定部２６は、電流変換信号ＳＧ１が予め定められた閾値未満であると判定すると（ステップＳ２１：Ｎｏ）、ノイズ等の検出であることから、この処理を終了する。
【００７５】
一方、電流変換信号判定部２６は、電流変換信号ＳＧ１が予め定められた閾値以上であると判定すると（ステップＳ２１：Ｙｅｓ）、その判定が続いている期間が、一定期間を経過したか否かを判定することで、電流変換信号ＳＧ１の信号長が一定期間分（例えば通信方式がベースバンド方式であれば、１ビット長分）あるか否かを判定する（ステップＳ２２）。電流変換信号判定部２６は、Ｓ２１でＹｅｓと判定され続けた期間が、一定期間を超えていないと判定すると（ステップＳ２２：Ｎｏ）、ステップＳ２１へ戻る。このステップＳ２２とステップＳ２１の判定により、電流変換信号ＳＧ１の電圧値が予め定められた閾値以上であるものの、電流変換信号ＳＧ１の信号長が一定期間分ない場合には、電流変換信号判定部２６は、最終的にはステップＳ２１でＮｏと判定する。よって、電流変換信号判定部２６は、一定期間分に満たない信号長の電流変換信号ＳＧ１も、ノイズ等の検出と同様に処理する。ここで、Ｓ２１でＹｅｓと判定され続けた期間が、一定期間を超えたか否かは、例えば、電流変換信号判定部２６にタイマを設け、そのタイマで計測した時間を電流変換信号判定部２６が用いるよう構成すればよい。
【００７６】
ステップＳ２２で、電流変換信号判定部２６は、Ｓ２１でＹｅｓと判定され続けた期間が、一定期間を超えたと判定すると（ステップＳ２２：Ｎｏ）、電流変換信号ＳＧ１の電圧値が規格の範囲内であるか否かを判定する（ステップＳ２３）。電流変換信号判定部２６は、電流変換信号ＳＧ１の電圧値が規格の範囲内であると判定すると（ステップＳ２３：Ｙｅｓ）、電流信号が通信線Ｌ１を伝送したことで電流変換信号ＳＧ１が生成されたことを示す検出信号ＳＧ３を、切換部２８へ出力して、この処理を終了する（ステップＳ２４）。
【００７７】
一方、電流変換信号判定部２６は、電流変換信号ＳＧ１の電圧値が規格の範囲内ではないと判定すると（ステップＳ２３：Ｎｏ）、電流変換信号ＳＧ１の電圧値が予め定められた閾値以上であり、電流変換信号ＳＧ１の信号長が一定期間分あるものの、電流変換信号ＳＧ１の電圧値が規格の範囲を超えているので、電流変換信号ＳＧ１が異常値であることから、検出信号ＳＧ３にエラー信号を含めて、切換部２８へ出力して、この処理を終了する（ステップＳ２５）。
【００７８】
上述の処理に加え、解析装置１０（解析装置１０−１および解析装置１０−２）は、電源がオンされ、電圧センサ１４から電圧信号が出力されると、図１０に示す電圧信号レシーバの処理を電圧信号レシーバ２４で開始する。
【００７９】
電圧信号レシーバの処理では、まず、電圧信号レシーバ２４は、電圧センサ１４で生成された電圧変換信号ＳＧ２を、電圧変換信号判定部２７へ出力すると共に、復調・波形整形部２５へ出力する（ステップＳ３１）。なお、ステップＳ３１で電圧信号レシーバ２４から出力された電圧変換信号ＳＧ２が、電圧変換信号判定部２７で受信されると、後述する図１１に示す電圧変換信号判定部の処理が開始される。
【００８０】
ステップＳ３１の実行後、復調・波形整形部２５は、電圧信号レシーバ２４から出力された電圧変換信号ＳＧ２を復調すると共に波形整形を行う（ステップＳ３２）。その後、復調・波形整形部２５は、復調および波形整形が行われた信号（コマンド信号ＳＧ５）を、２対の切り換え端の他端に出力して、電圧信号レシーバの処理を終了する（ステップＳ３５）。
【００８１】
ステップＳ３１の実行後、電圧信号レシーバ２４から出力された電圧変換信号ＳＧ２が電圧変換信号判定部２７で受信されると、電圧変換信号判定部２７は、図１１に示す電圧変換信号判定部の処理を開始する。
【００８２】
電圧変換信号判定部の処理では、まず、電圧変換信号判定部２７は、電圧信号レシーバ２４から出力された電圧信号（電圧変換信号ＳＧ２）の電圧値が所定の閾値以上であるか否かを判定する（ステップＳ４１）。電圧変換信号判定部２７は、電圧変換信号ＳＧ２が所定の閾値未満であると判定すると（ステップＳ４１：Ｎｏ）、ノイズ等の検出であることから、この処理を終了する。
【００８３】
一方、電圧変換信号判定部２７は、電圧変換信号ＳＧ２が所定の閾値以上であると判定すると（ステップＳ４１：Ｙｅｓ）、その判定が続いている期間が、一定期間を経過したか否かを判定することで、電圧変換信号ＳＧ２の信号長が一定期間分（例えば通信方式がベースバンド方式であれば、１ビット長分）あるか否かを判定する（ステップＳ４２）。電圧変換信号判定部２７は、Ｓ４１でＹｅｓと判定され続けた期間が、一定期間を超えていないと判定すると（ステップＳ４２：Ｎｏ）、ステップＳ４１へ戻る。このステップＳ４２とステップＳ４１の判定により、電圧変換信号ＳＧ２の電圧値が所定の閾値以上であるものの、電圧変換信号ＳＧ２の信号長が一定期間分ない場合には、電圧変換信号判定部２７は、最終的にはステップＳ４１でＮｏと判定する。よって、電圧変換信号判定部２７は、一定期間分に満たない信号長の電圧変換信号ＳＧ２も、ノイズ等の検出と同様に処理する。ここで、Ｓ４１でＹｅｓと判定され続けた期間が、一定期間を超えたか否かは、例えば、電圧変換信号判定部２７にタイマを設け、そのタイマで計測した時間を、電圧変換信号判定部２７が用いるように構成すればよい。
【００８４】
ステップＳ４２で、電圧変換信号判定部２７は、Ｓ４１でＹｅｓと判定され続けた期間が、一定期間を超えたと判定すると（ステップＳ４２：Ｎｏ）、電圧変換信号ＳＧ２の電圧値が規定の範囲内であるか否かを判定する（ステップＳ４３）。電圧変換信号判定部２７は、電圧変換信号ＳＧ２の電圧値が規定の範囲内であると判定すると（ステップＳ４３：Ｙｅｓ）、電圧信号が通信線Ｌ２を伝送したことで電圧変換信号ＳＧ２が生成されたことを示す検出信号ＳＧ４を、切換部２８へ出力して、この処理を終了する（ステップＳ４４）。
【００８５】
一方、電圧変換信号判定部２７は、電圧変換信号ＳＧ２の電圧値が規定の範囲内ではないと判定すると（ステップＳ４３：Ｎｏ）、電圧変換信号ＳＧ２の電圧値が所定の閾値以上であり、電圧変換信号ＳＧ２の信号長が一定期間分あるものの、電圧変換信号ＳＧ２の電圧値が規定の範囲を超えているので、電圧変換信号ＳＧ２が異常値であることから、検出信号ＳＧ４にエラー信号を含めて、切換部２８へ出力して、この処理を終了する（ステップＳ４５）。
【００８６】
上述した処理によって、電圧変換信号判定部２７から出力された検出信号ＳＧ４を受信した場合、または、電流変換信号判定部の処理（図９参照）によって、電流変換信号判定部２６出力された検出信号ＳＧ３を受信した場合、あるいは、検出信号ＳＧ３と検出信号ＳＧ４とを同一タイミングで受信した場合、切換部２８は、図１２に示す切換部の処理を開始する。
【００８７】
切換部の処理では、まず、切換部２８は、検出信号ＳＧ３と検出信号ＳＧ４とを同一タイミングで受信したか否かを判定する（ステップＳ５１）。切換部２８は、同一タイミングで受信していないと判定すると（ステップＳ５１：Ｎｏ）、検出信号ＳＧ３を受信したか否かを判定する（ステップＳ５２）。
【００８８】
切換部２８は、検出信号ＳＧ３を受信したと判定すると（ステップＳ５２：Ｙｅｓ）、ステップＳ５４へ移行する。一方、切換部２８は、検出信号ＳＧ３を受信していないと判定すると（ステップＳ５２：Ｎｏ）、検出信号ＳＧ４を受信したことから、ステップＳ５５へ移行する。
【００８９】
ここで、切換部２８は、ステップＳ５１で、検出信号ＳＧ３と検出信号ＳＧ４とを同一タイミングで受信したと判定すると（ステップＳ５１：Ｙｅｓ）、記憶部２８ａに記憶された優先順位に従い、抽出・信号判定部３０へ伝送するコマンド信号を、コマンド信号ＳＧ５にするか、コマンド信号ＳＧ６にするか、を決定する（ステップＳ５３）。この優先順位に従い、切換部２８は、ステップＳ５４またはステップＳ５５のいずれかに移行する。なお、本実施の形態１では、検出信号ＳＧ３と検出信号ＳＧ４とを同一タイミングで受信した場合、切換部２８は、コマンド信号ＳＧ５を、抽出・信号判定部３０へ伝送するコマンド信号に決定する。
【００９０】
ステップＳ５４では、切換部２８は、受信した検出信号ＳＧ３にエラー信号が含まれているか否かを判定する（ステップＳ５４）。切換部２８は、受信した検出信号ＳＧ３にエラー信号が含まれていないと判定すると（ステップＳ５４：Ｎｏ）、正常な電流信号が通信線Ｌ１を伝送したことで電流変換信号ＳＧ１が生成されたことから、復調・波形整形部２３から出力されるコマンド信号ＳＧ５（通信信号の復調・波形整形した信号）を抽出・信号判定部３０へ伝送するために、復調・波形整形部２３（電流信号レシーバ２１）が抽出・信号判定部３０に接続されるよう、スイッチ２９を切り換える（ステップＳ５６）。その後、切換部２８は、ステップＳ５８に移行する。
【００９１】
一方、切換部２８は、受信した検出信号ＳＧ３にエラー信号が含まれていると判定すると（ステップＳ５４：Ｙｅｓ）、電流信号が通信線Ｌ１を伝送したことで電流変換信号ＳＧ１が生成されたが、この電流変換信号ＳＧ１が異常値を示していることから、通信ユニットに異常等が発生している可能性があるため、異常を示す電流信号を受信しないよう、復調・波形整形部２３と抽出・信号判定部３０との接続を切り離す（ステップＳ５７）。言い換えれば、ステップＳ５７では、切換部２８は、エラー信号を含む検出信号ＳＧ３を受信した場合は、電圧信号レシーバ２４（復調・波形整形部２５）が抽出・信号判定部３０に接続されるよう、スイッチ２９を切り換える。その後、切換部２８は、ステップＳ５８に移行する。
【００９２】
また、ステップＳ５５では、切換部２８は、受信した検出信号ＳＧ４にエラー信号が含まれているか否かを判定する（ステップＳ５５）。切換部２８は、受信した検出信号ＳＧ４にエラー信号が含まれていないと判定すると（ステップＳ５５：Ｎｏ）、正常な電圧信号が通信線Ｌ２を伝送したことで電圧変換信号ＳＧ２が生成されたことから、復調・波形整形部２５から出力されるコマンド信号ＳＧ６（通信信号の復調・波形整形した信号）を抽出・信号判定部３０へ伝送するために、復調・波形整形部２５が抽出・信号判定部３０に接続されるよう、スイッチ２９を切り換える（ステップＳ５７）。その後、切換部２８は、ステップＳ５８に移行する。
【００９３】
一方、切換部２８は、受信した検出信号ＳＧ４にエラー信号が含まれていると判定すると（ステップＳ５５：Ｙｅｓ）、電圧信号が通信線Ｌ２を伝送したことで電圧変換信号ＳＧ２が生成されたが、この電圧変換信号ＳＧ２が異常値を示していることから、通信ユニットに異常等が発生している可能性があるため、異常を示す電圧信号を受信しないよう、復調・波形整形部２５と抽出・信号判定部３０との接続を切り離す（ステップＳ５６）。言い換えれば、ステップＳ５８では、切換部２８は、電流信号レシーバ２１（復調・波形整形部２３）が抽出・信号判定部３０に接続されるよう、スイッチ２９を切り換える。その後、切換部２８は、ステップＳ５８に移行する。
【００９４】
このように、切換部２８は、ステップＳ５５でＹｅｓの判定された後の処理（ステップＳ５６）およびステップＳ５４でＹｅｓと判定された後の処理（ステップＳ５７）を実行することで、異常を示す信号（電流信号および電圧信号）を受信することを防止している。
【００９５】
ステップＳ５６またはステップＳ５７の実行後、切換部２８は、スイッチ２９の切り換え後、所定期間（例えば通信方式がベースバンド方式であれば、１ビット長分の期間）が経過したか否かを判定する（ステップＳ５８）。
【００９６】
切換部２８は、所定期間が経過していないと判定すると（ステップＳ５８：Ｎｏ）、所定期間が経過するまで、ステップＳ５８を繰り返し実行する。一方、切換部２８は、所定期間が経過したと判定すると（ステップＳ５８：Ｙｅｓ）、切換部の処理を終了する。
【００９７】
このように、切換部２８は、スイッチ２９の切り換え後、所定時間が経過するまでは、スイッチ２９の切り換えを行わない。これにより、切換部２８は、電流信号または電圧信号の受信中にスイッチ２９が切り換わることを防止している。なお、スイッチ２９の切り換え後から所定時間が経過したか否かは、例えば、切換部２８にタイマを設け、そのタイマで計測した結果を、切換部２８が用いるよう構成すればよい。
【００９８】
切換部２８によるスイッチ２９の切り換えにより、コマンド信号ＳＧ５またはコマンド信号ＳＧ６のいずれかを受信すると、抽出・信号判定部３０は、図１３に示す抽出・信号判定部の処理を開始する。
【００９９】
抽出・信号判定部の処理では、まず、抽出・信号判定部３０のサンプリング部４１は、受信したコマンド信号（コマンド信号ＳＧ５またはコマンド信号ＳＧ６のいずれか）を、所定のサンプリング間隔でサンプリングし、サンプリング後のコマンド信号（サンプリング値）を出力する（ステップＳ６１）。
【０１００】
その後、ビット生成部４２は、サンプリング値を受信すると、受信したサンプリング値からビット値を求め、求めたビット値、つまり、コマンド信号に対応するビット値（電流信号または電圧信号）を出力する（ステップＳ６２）。
【０１０１】
その後、エラー判定部４４は、コマンド信号に対応するビット値（電流信号または電圧信号）を受信すると、ステップＳ６３の処理を実行する。即ち、エラー判定部４４は、受信したビット値に、例えば、パリティビットエラーやフレーミングエラー等といったエラーが発生していないかを判定する。そして、エラー判定部４４は、コマンド信号に対応するビット値にエラーが発生していた場合、エラーの内容を示すエラー情報を生成して出力する（ステップＳ６３）。
【０１０２】
そして、制御用インターフェイス部４３は、ステップＳ６２でビット生成部４２から出力されたコマンド信号に対応するビット値とステップＳ６３でエラー判定部４４から出力されたエラー情報とを纏めた信号判定情報を生成し、表示情報生成・出力部３１へ出力する（ステップＳ６４）。ここで、エラー判定部４４からエラー情報が出力されない場合、制御用インターフェイス部４３は、エラー情報を含まない、コマンド信号に対応するビット値からなる信号判定情報を生成する。
【０１０３】
なお、ステップＳ６４で、制御用インターフェイス部４３は、コマンド信号に対応するビット値またはエラー情報を受信すると、表示情報生成・出力部３１に割り込み信号を出力する。すると、表示情報生成・出力部３１は、信号判定情報の要求信号を制御用インターフェイス部４３に出力する。この要求信号に対応して、制御用インターフェイス部４３は、信号判定情報を表示情報生成・出力部３１へ出力する。これにより、表示情報生成・出力部３１は、信号判定情報を受信することができる。
【０１０４】
信号判定情報を受信すると、表示情報生成・出力部３１は、図１４に示す表示情報生成・出力部の処理を開始する。表示情報生成・出力部の処理では、まず、通信解析部５２は、ステップＳ７１の処理を実行する。即ち、信号解析部５２は、信号判定情報に含まれるコマンド信号に対応するビット値（電流信号または電圧信号）から、通信フレーム情報を求めると共に、タイマ部５５から時刻を示す時刻情報を取得する。そして、通信解析部５２は、通信フレーム情報と時刻情報とを対応付けて出力する。なお、通信フレーム情報には、例えば、電流信号または電圧信号の他に、電流信号または電圧信号の送信元アドレスや、電流信号または電圧信号の送信先アドレス等が含まれる。
【０１０５】
その後、表示情報生成部５３は、通信フレーム情報および時刻情報を受信すると、それらの情報を表示装置１１で表示可能な形式の情報に変換した表示情報を生成し、生成した表示情報を、表示用インターフェイス部５４へ出力する（ステップＳ７２）。
【０１０６】
そして、表示用インターフェイス部５４は、表示情報を受信すると、その表示情報を、表示装置１１へ出力する（ステップＳ７３）。
【０１０７】
なお、表示用インターフェイス部５４は、表示情報を受信すると、表示装置１１に割り込み信号を出力する。すると、表示装置１１は、表示情報の要求信号を表示用インターフェイス部５４に出力する。この要求信号に対応して、表示用インターフェイス部５４は、表示情報を表示装置１１へ出力する。これにより、表示装置１１は、表示情報を受信することができる。
【０１０８】
表示情報を受信すると、表示装置１１は、図１５に示す表示装置の処理を開始する。表示装置の処理では、まず、表示制御部６２は、受信した表示情報を、表示情報記憶部６４に記憶する（ステップＳ８１）。なお、ステップＳ８１で、表示制御部６２は、出力部用インターフェイス部６１に複数の解析装置１０が接続されている場合、受信した表示情報に、表示情報の送信元を示す情報（例えば、ＭＡＣアドレス）を対応付けて、表示情報記憶部６４に記憶する。
【０１０９】
そして、表示制御部６２は、画面に表示する上で必要になる所定数以上、表示情報が表示情報記憶部６４に記憶されているか否かを判定する（ステップＳ８２）。表示制御部６２は、表示情報記憶部６４に記憶されている表示情報の数が所定数未満であると判定すると（ステップＳ８２：Ｎｏ）、画面に表示する分の表示情報が記憶されていないので、この表示装置の処理を終了する。一方、表示制御部６２は、表示情報記憶部６４に記憶されている表示情報の数が所定数以上であると判定すると（ステップＳ８２：Ｙｅｓ）、ステップＳ６３に移行する。
【０１１０】
ステップＳ６３では、表示制御部６２は、表示情報記憶部６４に記憶された各表示情報を読み出し、読み出した表示情報に含まれる時刻情報に基づいて、表示情報の各々を対応付けると共に、表示情報の各々を１つの画面に表示可能な形式に統合する。そして、表示制御部６２は、統合後の表示情報を、表示部６３へ出力する（ステップＳ８３）。
【０１１１】
表示部６３は、統合後の表示情報を受信すると、その表示情報から画面を生成し、その画面（例えば、図６または図７を参照）を表示する（ステップＳ８４）。その後、表示部６３は、表示装置の処理を終了する。
【０１１２】
上述した通り、実施の形態１に係る解析装置１０によれば、切換部２８は、電流信号が通信線Ｌ１を伝送したことで電流変換信号ＳＧ１が生成されたと電流変換信号判定部２６で判定された場合に、電流−電圧変換部２２で生成された電流変換信号ＳＧ１を抽出・信号判定部３０へ伝送する一方で、電圧センサ１４で生成された電圧変換信号ＳＧ２を抽出・信号判定部３０へ伝送しない切り換えを行う。また、切換部２８は、電圧信号が通信線Ｌ２を伝送したことで電圧変換信号ＳＧ２が生成されたと電圧変換信号判定部２７で判定された場合に、電圧センサ１４で生成された電圧変換信号ＳＧ２を抽出・信号判定部３０へ伝送する一方で、電流−電圧変換部２２で生成された電流変換信号ＳＧ１を抽出・信号判定部３０へ伝送しない切り換えを行う。つまり、解析装置１０によれば、表示情報を生成するための基になる信号の送信元の装置を、電流信号レシーバ２１か電圧信号レシーバ２４かのいずれかに自動的に切り換える。よって、解析装置１０によれば、一方の通信線Ｌ１では電流信号が送受信され、もう一方の通信線Ｌ２では電圧信号が送受信されていたとしても、信号の送信元の自動的な切り換えにより、どちらの信号も受信して、表示情報を生成することができる。これにより、受信した電流信号または受信した電圧信号のいずれかに基づく表示情報を生成して、表示情報を表示装置１１に出力する機能を有する、抽出・信号判定部３０および表示情報生成・出力部３１を、電流信号用と電圧信号用とで共通化することができる。従って、実施の形態１に係る解析装置１０によれば、表示情報を生成して、生成した表示情報を出力する機能の重複がない。
【０１１３】
また、解析装置１０によれば、例えば通信線Ｌ１のみが設けられている状況において（通信線Ｌ２が設けられていない状況において）、通信線Ｌ１で送受信される信号が、電流信号または電圧信号のいずれであっても、電流センサ１３および電圧センサ１４が通信線Ｌ１に配置されれば、センサの配置誤りによる受信誤りを発生させることなく、通信線Ｌ１を伝送する信号を受信することができる。
【０１１４】
また、解析装置１０によれば、受信した電流信号または受信した電圧信号のいずれかを基に、表示装置１１で表示可能な表示情報を生成し、表示装置１１へ出力する。よって、解析装置１０によれば、表示装置１１に表示された画面を見たユーザに、コマンドの送受信状況の解析（図６参照）や、信号の波形解析（図７参照）等を可能にしている。
【０１１５】
（実施の形態２）
次に、本発明の実施の形態２に係る解析装置１０を、図１６および図１７を参照して説明する。実施の形態２に係る解析装置１０は、実施の形態１の解析装置１０の処理の一部を変更したもの、具体的には、電流変換信号判定部２６で実行される処理および電圧変換信号判定部２７で実行される処理を変更したものである。実施の形態２に係る解析装置１０のその他の処理および構成は、実施の形態１の解析装置１０と同一である。よって、実施の形態２に係る解析装置１０については、実施の形態１の解析装置１０と同一の構成・同一の処理については同一の番号を付して、その説明を省略する。
【０１１６】
なお、実施の形態２に係る解析装置１０は、電流−電圧変換部２２で生成された電流変換信号ＳＧ１の周波数が、条件を満たすかを判定することで、電流信号が通信線Ｌ１を伝送したことで電流変換信号ＳＧ１が生成されたかを判定する。また、実施の形態２に係る解析装置１０は、電圧センサ１４で生成された電圧変換信号ＳＧ２の周波数が、条件を満たすかを判定することで、電圧信号が通信線Ｌ２を伝送したことで電圧変換信号ＳＧ２が生成されたかを判定する。よって、実施の形態２に係る解析装置１０は、通信ユニット間で送受信される信号の伝送方式が周波数変調方式の場合に採用される。従って、以後、信号の伝送方式が周波数変調方式であるものとして説明する。
【０１１７】
実施の形態２に係る解析装置１０の電流信号レシーバ２１で電流信号レシーバの処理（図８参照）が実行され、電流信号レシーバ２１の電流−電圧変換部２２で電流変換信号ＳＧ１が生成され、その電流変換信号ＳＧ１が、電流変換信号判定部２６で受信されると、電流変換信号判定部２６は、図１６に示す電流変換信号判定部の処理を開始する。
【０１１８】
電流変換信号判定部２６は、まず、電流−電圧変換部２２で生成された電流変換信号ＳＧ１の最小の周波数が、予め定められた閾値周波数以上であるか否かを判定する（ステップＳ９１）。なお、電流変換信号ＳＧ１の周波数は、次のようにして求めればよい。即ち、電流変換信号判定部２６は、電流変換信号ＳＧ１のピーク値同士（例えば、最大値同士）の時間間隔を例えば数十ポイント取得し、その取得した時間間隔から電流変換信号ＳＧ１の波長を求め、この波長から、電流変換信号ＳＧ１の最小の周波数を求めればよい。なお、予め定められた閾値周波数は、電流変換信号ＳＧ１の変調幅（変動幅）から予め決定されている。
【０１１９】
電流変換信号判定部２６は、電流変換信号ＳＧ１の最小の周波数が閾値周波数未満であると判定すると（ステップＳ９１：Ｎｏ）、ノイズ等の検出であることから、この処理を終了する。
【０１２０】
一方、電流変換信号判定部２６は、電流変換信号ＳＧ１の最小の周波数が閾値周波数以上であると判定すると（ステップＳ９１：Ｙｅｓ）、その判定が続いている期間が、一定期間を経過したか否かを判定することで、電流変換信号ＳＧ１の信号長が一定期間分あるか否かを判定する（ステップＳ９２）。電流変換信号判定部２６は、Ｓ９１でＹｅｓと判定され続けた期間が、一定期間を超えていないと判定すると（ステップＳ９２：Ｎｏ）、ステップＳ９１へ戻る。このステップＳ９２とステップＳ９１の判定により、電流変換信号ＳＧ１の最小の周波数が閾値周波数以上であるものの、電流変換信号ＳＧ１の信号長が一定期間分ない場合には、電流変換信号判定部２６は、最終的にはステップＳ９１でＮｏと判定する。よって、電流変換信号判定部２６は、一定期間分に満たない信号長の電流変換信号ＳＧ１も、ノイズ等の検出と同様に処理する。
【０１２１】
ステップＳ９２で、電流変換信号判定部２６は、Ｓ９１でＹｅｓと判定され続けた期間が、一定期間を超えたと判定すると（ステップＳ９２：Ｎｏ）、電流変換信号ＳＧ１の最大の周波数が規格の周波数の範囲内であるか否かを判定する（ステップＳ９３）。ここで、規格の周波数の範囲は、電流変換信号ＳＧ１の変調幅（変動幅）から予め決定されている。また、電流変換信号ＳＧ１の最大の周波数は、電流変換信号ＳＧ１のピーク値同士（例えば、最大値同士）の時間間隔から電流変換信号ＳＧ１の波長を求め、この波長から求めればよい。
【０１２２】
電流変換信号判定部２６は、電流変換信号ＳＧ１の最大の周波数が規格の周波数の範囲内であると判定すると（ステップＳ９３：Ｙｅｓ）、電流信号が通信線Ｌ１を伝送したことで電流変換信号ＳＧ１が生成されたことを示す検出信号ＳＧ３を、切換部２８へ出力して、この処理を終了する（ステップＳ２４）。
【０１２３】
このように、電流変換信号判定部２６は、電流信号が通信線Ｌ１を伝送したことで電流変換信号ＳＧ１が生成されたか否かを、予め定められた閾値周波数および信号長によって判定するので、ノイズ等が検出された場合に検出信号ＳＧ３を誤って出力することを防止している。
【０１２４】
一方、電流変換信号判定部２６は、電流変換信号ＳＧ１の最大の周波数が規格の周波数の範囲内ではないと判定すると（ステップＳ９３：Ｎｏ）、電流変換信号ＳＧ１の最小の周波数が予め定められた閾値周波数以上であり、電流変換信号ＳＧ１の信号長が一定期間分あるものの、電流変換信号ＳＧ１の最大の周波数が規格の周波数の範囲を超えているので、電流変換信号ＳＧ１が異常値であることから、検出信号ＳＧ３にエラー信号を含めて、切換部２８へ出力して、この処理を終了する（ステップＳ２５）。
【０１２５】
また、実施の形態２に係る解析装置１０の電圧信号レシーバ２４で電圧信号レシーバの処理（図１０参照）が実行され、電圧信号レシーバ２４から電圧変換信号ＳＧ２が出力され、その電圧変換信号ＳＧ２が、電圧変換信号判定部２７で受信されると、電圧変換信号判定部２７は、図１７に示す電圧変換信号判定部の処理を開始する。
【０１２６】
電圧変換信号判定部２７は、まず、電圧信号レシーバ２４から出力された電圧変換信号ＳＧ２の最小の周波数が、所定の閾値周波数以上であるか否かを判定する（ステップＳ１０１）。なお、電圧変換信号ＳＧ２の周波数は、次のようにして求めればよい。即ち、電圧変換信号判定部２７は、電圧変換信号ＳＧ２のピーク値同士（例えば、最小値同士）の時間間隔を例えば数十ポイント取得し、その取得した時間間隔から電圧変換信号ＳＧ２の波長を求め、この波長から、電圧変換信号ＳＧ２の最小の周波数を求めればよい。なお、所定の閾値周波数は、電圧変換信号ＳＧ２の変調幅（変動幅）から予め決定されている。
【０１２７】
電圧変換信号判定部２７は、電圧変換信号ＳＧ２の最小の周波数が所定の閾値周波数未満であると判定すると（ステップＳ１０１：Ｎｏ）、ノイズ等の検出であることから、この処理を終了する。
【０１２８】
一方、電圧変換信号判定部２７は、電圧変換信号ＳＧ２の最小の周波数が所定の閾値周波数以上であると判定すると（ステップＳ１０１：Ｙｅｓ）、その判定が続いている期間が、一定期間を経過したか否かを判定することで、電圧変換信号ＳＧ２の信号長が一定期間分あるか否かを判定する（ステップＳ１０２）。電圧変換信号判定部２７は、Ｓ１０１でＹｅｓと判定され続けた期間が、一定期間を超えていないと判定すると（ステップＳ１０２：Ｎｏ）、ステップＳ１０１へ戻る。このステップＳ１０２とステップＳ１０１の判定により、電圧変換信号ＳＧ２の最小の周波数が所定の閾値周波数以上であるものの、電圧変換信号ＳＧ２の信号長が一定期間分ない場合には、電圧変換信号判定部２７は、最終的にはステップＳ１０１でＮｏと判定する。よって、電圧変換信号判定部２７は、一定期間分に満たない信号長の電圧変換信号ＳＧ２も、ノイズ等の検出と同様に処理する。
【０１２９】
ステップＳ１０２で、電圧変換信号判定部２７は、Ｓ１０１でＹｅｓと判定され続けた期間が、一定期間を超えたと判定すると（ステップＳ１０２：Ｎｏ）、電圧変換信号ＳＧ２の最大の周波数が規定の周波数の範囲内であるか否かを判定する（ステップＳ１０３）。ここで、規定の周波数の範囲は、電圧変換信号ＳＧ２の変調幅（変動幅）から予め決定されている。また、電圧変換信号ＳＧ２の最大の周波数は、電圧変換信号ＳＧ２のピーク値同士（例えば、最小値同士）の時間間隔から電圧変換信号ＳＧ２の波長を求め、この波長から求めればよい。
【０１３０】
電圧変換信号判定部２７は、電圧変換信号ＳＧ２の最大の周波数が規定の周波数の範囲内であると判定すると（ステップＳ１０３：Ｙｅｓ）、電圧信号が通信線Ｌ２を伝送したことで電圧変換信号ＳＧ２が生成されたことを示す検出信号ＳＧ４を、切換部２８へ出力して、この処理を終了する（ステップＳ４４）。
【０１３１】
このように、電圧変換信号判定部２７は、電圧信号が通信線Ｌ２を伝送したことで電圧変換信号ＳＧ２が生成されたか否かを、所定の閾値周波数および信号長によって判定するので、ノイズ等が検出された場合に検出信号ＳＧ４を誤って出力することを防止している。
【０１３２】
一方、電圧変換信号判定部２７は、電圧変換信号ＳＧ２の最大の周波数が規定の周波数の範囲内ではないと判定すると（ステップＳ１０３：Ｎｏ）、電圧変換信号ＳＧ２の最小の周波数が所定の閾値周波数以上であり、電圧変換信号ＳＧ２の信号長が一定期間分あるものの、電圧変換信号ＳＧ２の最大の周波数が規定の周波数の範囲を超えており、電圧変換信号ＳＧ２が異常値であることから、検出信号ＳＧ４にエラー信号を含めて、切換部２８へ出力して、この処理を終了する（ステップＳ４５）。
【０１３３】
上述した通り、実施の形態２に係る解析装置１０によれば、電流−電圧変換部２２で生成された電流変換信号ＳＧ１の周波数が、予め定められた閾値周波数および規格の周波数の範囲を満たすか否かと、電圧センサ１４で生成された電圧変換信号ＳＧ２の周波数が、所定の閾値周波数および規定の周波数の範囲を満たすか否かとの判定によって、表示情報を生成するための基になる信号の送信元の装置を、電流信号レシーバ２１か電圧信号レシーバ２４かのいずれかに自動的に切り換える。よって、実施の形態２に係る解析装置１０によれば、通信ユニット間で送受信される信号の伝送方式が周波数変調方式である場合でも、表示情報の生成が可能である。
【０１３４】
また、実施の形態２に係る解析装置１０によれば、実施の形態１の解析装置１０と同様、切換部２８は、電流信号が通信線Ｌ１を伝送したことで電流変換信号ＳＧ１が生成されたと電流変換信号判定部２６で判定された場合に、電流−電圧変換部２２で生成された電流変換信号ＳＧ１を抽出・信号判定部３０へ伝送する一方で、電圧センサ１４で生成された電圧変換信号ＳＧ２を抽出・信号判定部３０へ伝送しない切り換えを行う。また、切換部２８は、電圧信号が通信線Ｌ２を伝送したことで電圧変換信号ＳＧ２が生成されたと電圧変換信号判定部２７で判定された場合に、電圧センサ１４で生成された電圧変換信号ＳＧ２を抽出・信号判定部３０へ伝送する一方で、電流−電圧変換部２２で生成された電流変換信号ＳＧ１を抽出・信号判定部３０へ伝送しない切り換えを行う。これにより、受信した電流信号または受信した電圧信号のいずれかに基づく表示情報を生成して、表示情報を表示装置１１に出力する機能を有する、抽出・信号判定部３０および表示情報生成・出力部３１を、電流信号用と電圧信号用とで共通化することができる。従って、実施の形態１に係る解析装置１０によれば、表示情報を生成して、生成した表示情報を出力する機能の重複がない。
【０１３５】
また、実施の形態２に係る解析装置１０によれば、実施の形態１の解析装置１０と同様、例えば通信線Ｌ１のみが設けられている状況において（通信線Ｌ２が設けられていない状況において）、通信線Ｌ１で送受信される信号が、電流信号または電圧信号のいずれであっても、電流センサ１３および電圧センサ１４が通信線Ｌ１に配置されれば、センサの配置誤りによる受信誤りを発生させることなく、通信線Ｌ１を伝送する信号を受信することができる。
【０１３６】
また、実施の形態２に係る解析装置１０によれば、実施の形態１の解析装置１０と同様、受信した電流信号または受信した電圧信号のいずれかを基に、表示装置１１で表示可能な表示情報を生成し、表示装置１１へ出力する。よって、実施の形態２に係る解析装置１０によれば、表示装置１１に表示された画面を見たユーザに、コマンドの送受信状況の解析（図６参照）や、信号の波形解析（図７参照）等を可能にしている。
【０１３７】
以上、本発明の実施形態を説明したが、この発明は上記の実施の形態に限定されず、種々の変形および応用が可能である。
【０１３８】
例えば、実施の形態１の解析装置１０は、表示情報を生成するための基になる信号の送信元の自動切り換えを、電流−電圧変換部２２で生成された電流変換信号ＳＧ１の電圧値が、予め定められた閾値および規格の範囲を満たすか否か、および電圧センサ１４で生成された電圧変換信号ＳＧ２の電圧値が、所定の閾値および規定の範囲を満たすか否かの判定に従って行った。また、実施の形態２に係る解析装置１０は、表示情報を生成するための基になる信号の送信元の自動切り換えを、電流−電圧変換部２２で生成された電流変換信号ＳＧ１の周波数が、予め定められた閾値周波数および規格の周波数の範囲を満たすか否かと、電圧センサ１４で生成された電圧変換信号ＳＧ２の周波数が、所定の閾値周波数および規定の周波数の範囲を満たすか否かとの判定に従って行った。しかし、これに限られるものではなく、上述の電圧値による判定および上述の周波数による判定の両方の判定を、解析装置１０で行って、表示情報を生成するための基になる信号の送信元の自動切り換えを行うよう、解析装置１０を構成してもよい。
【０１３９】
この構成の場合、電流変換信号判定部２６は次のように処理を実行すればよい。即ち、電流変換信号判定部２６は、まず、ステップＳ２１（図９参照）を実行し、ステップＳ２１でＹｅｓと判定すると、ステップＳ９１（図１６参照）を実行する。そして、電流変換信号判定部２６は、ステップＳ９１でＹｅｓと判定すると、ステップＳ２２（図９参照）を実行する。その後、電流変換信号判定部２６は、ステップＳ２２でＮｏと判定すると、ステップＳ２１へ戻り、ステップＳ２２でＹｅｓと判定すると、ステップＳ２３を実行する。その後、電流変換信号判定部２６は、ステップＳ２３でＹｅｓと判定すると、ステップＳ２４を実行し、ステップＳ２３でＮｏと判定すると、ステップＳ２５を実行する。その後、電流変換信号判定部２６は、処理を終了する。なお、電流変換信号判定部２６は、ステップＳ２１でＮｏと判定した場合、およびステップＳ９１（図１６参照）でＮｏと判定した場合も、処理を終了する。上述の構成の場合、電流変換信号判定部２６は、この処理を実行すればよい。
【０１４０】
また、上述の構成の場合、電圧変換信号判定部２７は次のように処理を実行すればよい。即ち、電圧変換信号判定部２７は、まず、ステップＳ４１（図１１参照）を実行し、ステップＳ４１でＹｅｓと判定すると、ステップＳ１０１（図１７参照）を実行する。そして、電圧変換信号判定部２７は、ステップＳ１０１でＹｅｓと判定すると、ステップＳ４２（図１１参照）を実行する。その後、電圧変換信号判定部２７は、ステップＳ４２でＮｏと判定すると、ステップＳ４１へ戻り、ステップＳ４２でＹｅｓと判定すると、ステップＳ４３を実行する。その後、電圧変換信号判定部２７は、ステップＳ４３でＹｅｓと判定すると、ステップＳ４４を実行し、ステップＳ４３でＮｏと判定すると、ステップＳ４５を実行する。その後、電圧変換信号判定部２７は、処理を終了する。なお、電圧変換信号判定部２７は、ステップＳ４１でＮｏと判定した場合、およびステップＳ１０１（図１７参照）でＮｏと判定した場合も、処理を終了する。上述の構成の場合、電圧変換信号判定部２７は、この処理を実行すればよい。
【０１４１】
また、実施の形態１の解析装置１０は、スイッチ２９の前段に復調・波形整形部２３，２５を設けたが、これに限られるものではなく、復調・波形整形部２３，２５を、スイッチ２９の後段、具体的には、スイッチ２９と抽出・信号判定部３０との間に設けてもよい。この構成の場合には、復調・波形整形部を、電流信号用と電圧信号用とで共通化することができる。
【０１４２】
また、実施の形態１の解析装置１０は、復調・波形整形部２３，２５を有したが、電流信号および電圧信号に変調が施されない場合、復調・波形整形部２３，２５が不要である。この場合には、実施の形態１の解析装置１０から復調・波形整形部２３，２５を取り除き、電流−電圧変換部２２の出力端子を、スイッチ２９の切り換え端の一端に接続し、電圧センサ１４の出力端子を、スイッチ２９の切り換え端の他端に接続する構成にすればよい。
【０１４３】
また、上記の各実施の形態において、解析装置１０（解析装置１０−１および解析装置１０−２）と表示装置１１とは、有線通信を行っても、無線通信を行ってもよい。
【０１４４】
なお、上記の各実施の形態において、解析装置１０を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図８〜図１７に示す処理を実行する解析装置を構成することとしてもよい。
【０１４５】
また、上述のプログラムをインターネット等の通信ネットワーク上の所定のサーバ装置が有するディスク装置等に格納しておき、例えば、搬送波に重畳させて、ダウンロード等するようにしてもよい。
【０１４６】
また、上述の図８〜図１７に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【０１４７】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【符号の説明】
【０１４８】
１０（１０−１，１０−２）    解析装置
１１                          表示装置
１３                          電流センサ
１４                          電圧センサ
２１                          電流信号レシーバ
２２                          電流−電圧変換部
２３，２５                    復調・波形整形部
２４                          電圧信号レシーバ
２６                          電流変換信号判定部
２７                          電圧変換信号判定部
２８                          切換部
２８ａ                        記憶部
２９                          スイッチ
３０                          抽出・信号判定部
３１                          表示情報生成・出力部
４１                          サンプリング部
４２                          ビット生成部
４３                          制御用インターフェイス部
４４                          エラー判定部
５１                          信号用インターフェイス部
５２                          通信解析部
５３                          表示情報生成部
５４                          表示用インターフェイス部
５５                          タイマ部
６１                          出力部用インターフェイス部
６２                          表示制御部
６３                          表示部
６４                          表示情報記憶部
１００                        室外機用通信ユニット
１１０                        室内機用通信ユニット
１２０                        リモコン用通信ユニット
【図１】
2013186908.tif 000003
【図２】
2013186908.tif 000004
【図３】
2013186908.tif 000005
【図４】
2013186908.tif 000006
【図５】
2013186908.tif 000007
【図６】
2013186908.tif 000008
【図７】
2013186908.tif 000009
【図８】
2013186908.tif 000010
【図９】
2013186908.tif 000011
【図１０】
2013186908.tif 000012
【図１１】
2013186908.tif 000013
【図１２】
2013186908.tif 000014
【図１３】
2013186908.tif 000015
【図１４】
2013186908.tif 000016
【図１５】
2013186908.tif 000017
【図１６】
2013186908.tif 000018
【図１７】
2013186908.tif 000019
【手続補正書】
【提出日】平成26年10月29日(2014.10.29)
【手続補正１】
【補正対象書類名】明細書
【補正対象項目名】０００９
【補正方法】変更
【補正の内容】
【０００９】
上記目的を達成するために、この発明に係る解析装置の電流変換信号生成部は、通信線を流れる電流信号の値の大きさに対応した電圧値を示す電流変換信号を生成する。電流変換信号判定部は、生成された電流変換信号が予め定められた条件を満たす場合に、電流変換信号が生成されたかを判定する。電圧変換信号生成部は、通信線に印加される電圧信号の値の大きさに対応した電圧値を示す電圧変換信号を生成する。電圧変換信号判定部は、生成された電圧変換信号が予め定められた条件を満たす場合に、電圧変換信号が生成されたかを判定する。表示情報生成部は、電流変換信号、または電圧変換信号のいずれかから、表示情報を生成する。出力部は、生成された表示情報を、表示情報の表示が可能な表示装置へ出力する。切換部は、電流信号が通信線を伝送したことで電流変換信号が生成された場合に、電流変換信号を表示情報生成部へ伝送すると同時に、電圧変換信号を表示情報生成部へ伝送しない切り換えを行い、電圧信号が通信線を伝送したことで電圧変換信号が生成された場合に、電圧変換信号を表示情報生成部へ伝送すると同時に、電流変換信号を表示情報生成部へ伝送しない切り換えを行う。
【手続補正２】
【補正対象書類名】特許請求の範囲
【補正対象項目名】全文
【補正方法】変更
【補正の内容】
【特許請求の範囲】
【請求項１】
通信線を流れる電流信号の値の大きさに対応した電圧値を示す電流変換信号を生成する電流変換信号生成部と、
前記生成された電流変換信号が予め定められた条件を満たす場合に、前記電流変換信号が生成されたかを判定する電流変換信号判定部と、
通信線に印加される電圧信号の値の大きさに対応した電圧値を示す電圧変換信号を生成する電圧変換信号生成部と、
前記生成された電圧変換信号が予め定められた条件を満たす場合に、前記電圧変換信号が生成されたかを判定する電圧変換信号判定部と、
前記電流変換信号、または前記電圧変換信号のいずれかから、表示情報を生成する表示情報生成部と、
前記生成された表示情報を、前記表示情報の表示が可能な表示装置へ出力する出力部と、
前記電流信号が通信線を伝送したことで前記電流変換信号が生成された場合に、前記電流変換信号を前記表示情報生成部へ伝送すると同時に、前記電圧変換信号を前記表示情報生成部へ伝送しない切り換えを行い、前記電圧信号が通信線を伝送したことで前記電圧変換信号が生成された場合に、前記電圧変換信号を前記表示情報生成部へ伝送すると同時に、前記電流変換信号を前記表示情報生成部へ伝送しない切り換えを行う切換部と、
を備える解析装置。
【請求項２】
前記電流変換信号判定部は、
前記電流変換信号の示す電圧値が第１の閾値以上であるかを判定する電流閾値判定部と、
前記電流変換信号の示す電圧値が前記第１の閾値以上であるとの前記電流閾値判定部による判定が続いている期間が、第１の期間を経過したかを判定する電流期間判定部とを備え、
前記電流閾値判定部による判定が続いている期間が、前記第１の期間を経過した場合に、前記電流信号が通信線を伝送したことで前記電流変換信号が生成されたと判定し、
前記電圧変換信号判定部は、
前記電圧変換信号の示す電圧値が第２の閾値以上であるかを判定する電圧閾値判定部と、
前記電圧変換信号の示す電圧値が前記第２の閾値以上であるとの前記電圧閾値判定部による判定が続いている期間が、第２の期間を経過したかを判定する電圧期間判定部とを備え、
前記電圧閾値判定部による判定が続いている期間が、前記第２の期間を経過した場合に、前記電圧信号が通信線を伝送したことで前記電圧変換信号が生成されたと判定する、
請求項１に記載の解析装置。
【請求項３】
前記電流変換信号判定部は、
更に、前記電流変換信号の示す電圧値が前記第１の閾値以上であるとの前記電流閾値判定部による判定が続いている期間が、前記第１の期間を経過した場合に、前記電流変換信号の示す電圧値が、規格の範囲内であるかを判定する電流範囲判定部を備え、
前記電流変換信号の示す電圧値が前記規格の範囲内である場合に、前記電流信号が通信線を伝送したことで前記電流変換信号が生成されたと判定し、前記電流変換信号の示す電圧値が前記規格の範囲内でない場合に、前記電流変換信号が異常を示すと判定し、
前記電圧変換信号判定部は、
更に、前記電圧変換信号の示す電圧値が前記第２の閾値以上であるとの前記電圧閾値判定部による判定が続いている期間が、前記第２の期間を経過した場合に、前記電圧変換信号の示す電圧値が、規定の範囲内であるかを判定する電圧範囲判定部を備え、
前記電圧変換信号の示す電圧値が前記規定の範囲内である場合に、前記電圧信号が通信線を伝送したことで前記電圧変換信号が生成されたと判定し、前記電圧変換信号の示す電圧値が前記規定の範囲内でない場合に、前記電圧変換信号が異常を示すと判定し、
前記切換部は、
前記電流変換信号が異常を示す場合に、前記電流変換信号を前記表示情報生成部へ伝送しないと同時に、前記電圧変換信号を前記表示情報生成部へ伝送する切り換えを行い、前記電圧変換信号が異常を示す場合に、前記電圧変換信号を前記表示情報生成部へ伝送しないと同時に、前記電流変換信号を前記表示情報生成部へ伝送する切り換えを行う、
請求項２に記載の解析装置。
【請求項４】
前記電流変換信号判定部は、
前記電流変換信号の示す周波数が第１の閾値周波数以上であるかを判定する電流周波数判定部を備え、
前記電流変換信号の示す周波数が前記第１の閾値周波数以上である場合に、前記電流信号が通信線を伝送したことで前記電流変換信号が生成されたと判定し、
前記電圧変換信号判定部は、
前記電圧変換信号の示す周波数が第２の閾値周波数以上であるかを判定する電圧周波数判定部を備え、
前記電圧変換信号の示す周波数が前記第２の閾値周波数以上である場合に、前記電圧信号が通信線を伝送したことで前記電圧変換信号が生成されたと判定する、
請求項１に記載の解析装置。
【請求項５】
前記電流変換信号判定部は、
更に、前記電流変換信号の示す周波数が前記第１の閾値周波数以上である場合に、前記電流変換信号の示す周波数が、規格の周波数範囲内であるかを判定する電流周波数範囲判定部を備え、
前記電流変換信号の示す周波数が前記規格の周波数範囲内であると前記電流周波数範囲判定部によって判定された場合に、前記電流信号が通信線を伝送したことで前記電流変換信号が生成されたと判定し、前記電流変換信号の示す周波数が前記規格の周波数範囲内でない場合に、前記電流変換信号が異常を示すと判定し、
前記電圧変換信号判定部は、
更に、前記電圧変換信号の示す周波数が前記第２の閾値周波数以上である場合に、前記電圧変換信号の示す周波数が、規定の周波数範囲内であるかを判定する電圧周波数範囲判定部を備え、
前記電圧変換信号の示す周波数が前記規定の周波数範囲内である場合に、前記電圧信号が通信線を伝送したことで前記電圧変換信号が生成されたと判定し、前記電圧変換信号の示す周波数が前記規定の周波数範囲内でない場合に、前記電圧変換信号が異常を示すと判定し、
前記切換部は、
前記電流変換信号が異常を示す場合に、前記電流変換信号を前記表示情報生成部へ伝送しないと同時に、前記電圧変換信号を前記表示情報生成部へ伝送する切り換えを行い、前記電圧変換信号が異常を示す場合に、前記電圧変換信号を前記表示情報生成部へ伝送しないと同時に、前記電流変換信号を前記表示情報生成部へ伝送する切り換えを行う、
請求項４に記載の解析装置。
【請求項６】
前記切換部は、
前記電流変換信号を優先的に前記表示情報生成部へ伝送するか、または、前記電圧変換信号を優先的に前記表示情報生成部へ伝送するかを示す優先順位を記憶する記憶部を備え、
前記電流信号が通信線を伝送したことで前記電流変換信号が生成されたと前記電流変換信号判定部で判定されたタイミングと、前記電圧信号が通信線を伝送したことで前記電圧変換信号が生成されたと前記電圧変換信号判定部で判定されたタイミングとが、同一のタイミングの場合に、前記記憶部に記憶された優先順位に従って前記切り換えを行う、
請求項１から５のいずれか１項に記載の解析装置。
【請求項７】
前記切換部は、前記切り換えを行った後、予め定められた時間が経過するまで、前記切り換えを新たに行うことを防止する切換防止部を備える、
請求項１から６のいずれか１項に記載の解析装置。
【請求項８】
前記表示装置を備え、
前記表示装置は、前記出力部により出力された表示情報の各々を、１つの画面に表示可能な形式に統合した後、統合後の表示情報を表示する、
請求項１から７のいずれか１項に記載の解析装置。
【請求項９】
前記表示装置は、前記出力部により出力された表示情報に含まれる、表示情報が生成された時刻を表す時刻情報に基づいて、前記表示情報の各々を対応付けて統合した後、前記統合後の表示情報を表示する、
請求項８に記載の解析装置。
【請求項１０】
通信線を流れる電流信号の値の大きさに対応した電圧値を示す電流変換信号を生成する電流変換信号生成ステップと、
前記生成された電流変換信号が予め定められた条件を満たす場合に、前記電流変換信号が生成されたかを判定する電流変換信号判定ステップと、
通信線に印加される電圧信号の値の大きさに対応した電圧値を示す電圧変換信号を生成する電圧変換信号生成ステップと、
前記生成された電圧変換信号が予め定められた条件を満たす場合に、前記電圧変換信号が生成されたかを判定する電圧変換信号判定ステップと、
前記電流変換信号、または前記電圧変換信号のいずれかから、表示情報を生成する表示情報生成ステップと、
前記生成された表示情報を、前記表示情報の表示が可能な表示装置へ出力する出力ステップと、
前記電流信号が通信線を伝送したことで前記電流変換信号が生成された場合に、前記電流変換信号から前記表示情報を前記表示情報生成ステップで生成させると同時に、前記電圧変換信号から前記表示情報を前記表示情報生成ステップで生成させない切り換えを行い、前記電圧信号が通信線を伝送したことで前記電圧変換信号が生成された場合に、前記電圧変換信号から前記表示情報を前記表示情報生成ステップで生成させると同時に、前記電流変換信号から前記表示情報を前記表示情報生成ステップで生成させない切り換えを行う切換ステップと、
を備える解析方法。
【請求項１１】
コンピュータに、
通信線を流れる電流信号の値の大きさに対応した電圧値を示す電流変換信号を生成する電流変換信号生成機能、
前記生成された電流変換信号が予め定められた条件を満たす場合に、前記電流変換信号が生成されたかを判定する電流変換信号判定機能、
通信線に印加される電圧信号の値の大きさに対応した電圧値を示す電圧変換信号を生成する電圧変換信号生成機能、
前記生成された電圧変換信号が予め定められた条件を満たす場合に、前記電圧変換信号が生成されたかを判定する電圧変換信号判定機能、
前記電流変換信号、または前記電圧変換信号のいずれかから、表示情報を生成する表示情報生成機能、
前記生成された表示情報を、前記表示情報の表示が可能な表示装置へ出力する出力機能、
前記電流信号が通信線を伝送したことで前記電流変換信号が生成された場合に、前記電流変換信号から前記表示情報を前記表示情報生成機能で生成させると同時に、前記電圧変換信号から前記表示情報を前記表示情報生成機能で生成させない切り換えを行い、前記電圧信号が通信線を伝送したことで前記電圧変換信号が生成された場合に、前記電圧変換信号から前記表示情報を前記表示情報生成機能で生成させると同時に、前記電流変換信号から前記表示情報を前記表示情報生成機能で生成させない切り換えを行う切換機能、
を実現させるプログラム。
【国際調査報告】
2013186908.tif 000020
2013186908.tif 000021
2013186908.tif 000022